(57)【要約】ワイヤレス通信の方法は、ワイヤレスデバイスが動的なサウンディング基準信号（ＳＲＳ）リソースを望むか否かを決定することと、その決定に基づいて、動的なＳＲＳリソースの割り振りをワイヤレスデバイスに提供することとを含む方法。【選択図】図４
2013513311.tif 000002
【特許請求の範囲】
【請求項１】
ワイヤレス通信のための方法において、
ワイヤレスデバイスが動的なサウンディング基準信号（ＳＲＳ）リソースを望むか否かを決定することと、
前記決定に基づいて、動的なＳＲＳリソースの割り振りを前記ワイヤレスデバイスに対して提供することとを含む、ワイヤレス通信のための方法。
【請求項２】
前記決定することは、前記ワイヤレスデバイスから前記動的なＳＲＳリソースに対する要求を受信することを含む請求項１記載の方法。
【請求項３】
前記提供することは、アップリンクまたはダウンリンクスケジューリング許可の一部で、前記動的なＳＲＳリソースの割り振りをシグナリングすることを含む請求項１記載の方法。
【請求項４】
前記提供することは、物理ダウンリンク制御チャネルを通して、グループの動的なＳＲＳリソースの割り振りとともに前記動的なＳＲＳリソースの割り振りをシグナリングすることを含む請求項１記載の方法。
【請求項５】
半永続的ＳＲＳリソースを前記ワイヤレスデバイスに動的に割り振ることをさらに含む請求項１記載の方法。
【請求項６】
前記決定することは、前記ワイヤレスデバイスとの通信チャネルに対する動作パラメータを推定することを含む請求項１記載の方法。
【請求項７】
前記動作パラメータは、前記ワイヤレスデバイスとの前記通信チャネルに対する、トラフィックアクティビティとエラーレートとのうちの１つを含む請求項６記載の方法。
【請求項８】
前ワイヤレスデバイスに対する前記動的なＳＲＳリソースの割り振りのために、リソースセットを半静的に構成することをさらに含む請求項１記載の方法。
【請求項９】
前記リソースセットは、直交ＳＲＳリソースを含む請求項８記載の方法。
【請求項１０】
前記リソースセットからの前記リソースを使用して、前記動的なＳＲＳリソースの割り振りを行う請求項９記載の方法。
【請求項１１】
ワイヤレス通信装置において、
ワイヤレスデバイスが動的なサウンディング基準信号（ＳＲＳ）リソースを望むか否かを決定するための命令と、
前記決定に基づいて、動的なＳＲＳリソースの割り振りを前記ワイヤレスデバイスに対して提供するための命令とを記憶するように構成されているメモリと、
前記メモリからの前記命令を実行するように構成されているプロセッサとを具備するワイヤレス通信装置。
【請求項１２】
前記メモリは、前記ワイヤレスデバイスから、前記動的なＳＲＳリソースに対する要求を受信するための命令をさらに記憶する請求項１１記載のワイヤレス通信装置。
【請求項１３】
前記メモリは、前記ワイヤレスデバイスとの通信チャネルに対する動作パラメータを推定するための命令をさらに記憶する請求項１１記載のワイヤレス通信装置。
【請求項１４】
ワイヤレス通信のための装置において、
ワイヤレスデバイスが動的なサウンディング基準信号（ＳＲＳ）リソースを望むか否かを決定する手段と、
前記決定に基づいて、動的なＳＲＳリソースの割り振りを前記ワイヤレスデバイスに対して提供する手段とを具備する、ワイヤレス通信のための装置。
【請求項１５】
コンピュータプログラムプロダクトにおいて、
ワイヤレスデバイスが動的なサウンディング基準信号（ＳＲＳ）リソースを望むか否かを少なくとも１つのコンピュータに決定させるためのコードと、
前記決定に基づいて、動的なＳＲＳリソースの割り振りを前記ワイヤレスデバイスに対して前記少なくとも１つのコンピュータに提供させるためのコードとを含む有体的コンピュータ読み取り可能な媒体を具備するコンピュータプログラムプロダクト。
【請求項１６】
ワイヤレス通信のための方法において、
動的なサウンディング基準信号（ＳＲＳ）リソースの割り振りを受信することと、
前記動的なＳＲＳリソースの割り振りにしたがって、ＳＲＳを送信することとを含む、ワイヤレス通信のための方法。
【請求項１７】
動的なＳＲＳリソースを必要するか否かを決定することと、
前記決定に基づいて、前記動的なＳＲＳリソースを要求することとをさらに含む請求項１６記載の方法。
【請求項１８】
ワイヤレス通信装置において、
動的なサウンディング基準信号（ＳＲＳ）リソースの割り振りを受信するための命令と、
前記動的なＳＲＳリソースの割り振りにしたがって、ＳＲＳを送信するための命令とを記憶するように構成されているメモリと、
前記メモリからの前記命令を実行するように構成されているプロセッサとを具備するワイヤレス通信装置。
【請求項１９】
ワイヤレス通信装置において、
動的なサウンディング基準信号（ＳＲＳ）リソースの割り振りを受信する手段と、
前記動的なＳＲＳリソースの割り振りにしたがって、ＳＲＳを送信する手段とを具備するワイヤレス通信装置。
【請求項２０】
コンピュータプログラムプロダクトにおいて、
動的なサウンディング基準信号（ＳＲＳ）リソースの割り振りを少なくとも１つのコンピュータに受信させるためのコードと、
前記受信する動的なＳＲＳリソースの割り振りにしたがって、ＳＲＳを前記少なくとも１つのコンピュータに送信させるためのコードとを含む有体的コンピュータ読み取り可能な媒体を具備するコンピュータプログラムプロダクト。
【請求項２１】
ワイヤレス通信のための方法において、
１つ以上の協働セルと共有されている複数の共通のサウンディング基準信号（ＳＲＳ）サブフレームを構成することと、
前記複数の共通のＳＲＳサブフレームのうちの少なくとも１つを通しての直交ＳＲＳ送信を促進するための、ＳＲＳコンフィギュレーションパラメータをワイヤレスデバイスに対して提供することとを含む、ワイヤレス通信のための方法。
【請求項２２】
前記提供することは、前記複数の共通のＳＲＳサブフレームを通しての、前記ワイヤレスデバイスからのＳＲＳ送信と複数の異なるワイヤレスデバイスからのＳＲＳ送信との間の直交性を促進する周波数コムを、前記ワイヤレスデバイスに割り振ることを含む請求項２１記載の方法。
【請求項２３】
前記提供することは、前記複数の共通のＳＲＳサブフレームを通しての、前記ワイヤレスデバイスからのＳＲＳ送信と複数の異なるワイヤレスデバイスからのＳＲＳ送信との間の直交性を促進する、前記複数の共通のＳＲＳサブフレームのうちの少なくとも１つにおける帯域幅の一部を、前記ワイヤレスデバイスに割り振ることを含む請求項２１記載の方法。
【請求項２４】
前記提供することは、前記複数の共通のＳＲＳサブフレームを通しての、前記ワイヤレスデバイスからのＳＲＳ送信と複数の異なるワイヤレスデバイスからのＳＲＳ送信との間の直交性を促進するコンフィギュレーションインデックスを、前記ワイヤレスデバイスに提供することを含む請求項２１記載の方法。
【請求項２５】
前記提供することは、前記複数の共通のＳＲＳサブフレームを通しての、前記ワイヤレスデバイスからのＳＲＳ送信と複数の異なるワイヤレスデバイスからのＳＲＳ送信との間の直交性を促進する循環シフトを、ＳＲＳを送信するために前記ワイヤレスデバイスに提供することを含む請求項２１記載の方法。
【請求項２６】
ワイヤレス通信装置において、
１つ以上の協働セルとともに、複数の共通のサウンディング基準信号（ＳＲＳ）サブフレームを構成するための命令と、
前記複数の共通のＳＲＳサブフレームのうちの少なくとも１つを通しての直交ＳＲＳ送信を促進するための、ＳＲＳコンフィギュレーションパラメータをワイヤレスデバイスに対して提供するための命令とを記憶するメモリと、
前記メモリからの前記命令を実行するように構成されているプロセッサとを具備するワイヤレス通信装置。
【請求項２７】
ワイヤレス通信装置において、
１つ以上の協働セルと共有されている複数の共通のサウンディング基準信号（ＳＲＳ）サブフレームを構成する手段と、
前記複数の共通のＳＲＳサブフレームのうちの少なくとも１つを通しての直交ＳＲＳ送信を促進するための、ＳＲＳコンフィギュレーションパラメータをワイヤレスデバイスに対して提供する手段とを具備するワイヤレス通信装置。
【請求項２８】
前記提供する手段は、
前記複数の共通のＳＲＳサブフレームを通しての、前記ワイヤレスデバイスからのＳＲＳ送信と複数の異なるワイヤレスデバイスからのＳＲＳ送信との間の直交性を促進する周波数コムを、前記ワイヤレスデバイスに割り振る手段と、
前記複数の共通のＳＲＳサブフレームを通しての、前記ワイヤレスデバイスからのＳＲＳ送信と複数の異なるワイヤレスデバイスからのＳＲＳ送信との間の直交性を促進する、前記複数の共通のＳＲＳサブフレームのうちの少なくとも１つにおける帯域幅の一部を、前記ワイヤレスデバイスに割り振る手段と、
前記複数の共通のＳＲＳサブフレームを通しての、前記ワイヤレスデバイスからのＳＲＳ送信と複数の異なるワイヤレスデバイスからのＳＲＳ送信との間の直交性を促進するコンフィギュレーションインデックスを、前記ワイヤレスデバイスに対して提供する手段と、
前記複数の共通のＳＲＳサブフレームを通しての、前記ワイヤレスデバイスからのＳＲＳ送信と複数の異なるワイヤレスデバイスからのＳＲＳ送信との間の直交性を促進する循環シフトを、ＳＲＳを送信するために前記ワイヤレスデバイスに提供する手段と、のうちの１つを備える請求項２７記載のワイヤレス通信装置。
【請求項２９】
コンピュータプログラムプロダクトにおいて、
１つ以上の協働セルとともに、複数の共通のサウンディング基準信号（ＳＲＳ）サブフレームを少なくとも１つのコンピュータに構成させるためのコードと、
前記複数の共通のＳＲＳサブフレームのうちの少なくとも１つを通しての直交ＳＲＳ送信を促進するための、ＳＲＳコンフィギュレーションパラメータをワイヤレスデバイスに前記少なくとも１つのコンピュータに提供させるためのコードとを含む有体的コンピュータ読み取り可能な媒体を具備するコンピュータプログラムプロダクト。
【請求項３０】
ワイヤレス通信のための方法において、
サウンディング基準信号（ＳＲＳ）コンフィギュレーションパラメータを受信することと、
前記ＳＲＳコンフィギュレーションパラメータに基づいて、ＳＲＳ送信を実行することとを含む、ワイヤレス通信のための方法。
【請求項３１】
前記受信することは、周波数コムと、コンフィギュレーションインデックスと、循環シフト値とのうちの１つを受信することを含む請求項３０記載の方法。
【請求項３２】
ワイヤレス通信装置において、
サウンディング基準信号（ＳＲＳ）コンフィギュレーションパラメータを受信する手段と、
前記ＳＲＳコンフィギュレーションパラメータに基づいて、ＳＲＳ送信を実行する手段とを具備するワイヤレス通信装置。
【請求項３３】
ＳＲＳコンフィギュレーションパラメータは、周波数コムと、コンフィギュレーションインデックスと、循環シフト値とのうちの１つを含む請求項３２記載のワイヤレス通信装置。
【請求項３４】
コンピュータプログラムプロダクトにおいて、
サウンディング基準信号（ＳＲＳ）コンフィギュレーションパラメータを受信するためのコードと、
前記受信したＳＲＳコンフィギュレーションパラメータに基づいて、ＳＲＳ送信を実行するためのコードとを含む有体的コンピュータ読み取り可能な媒体を具備するコンピュータプログラムプロダクト。
【請求項３５】
ワイヤレス通信方法において、
ワイヤレスデバイスに対するＳＲＳリソースを通して、セル特有なＳＲＳ周波数ホッピングパターンを決定することと、
前記セル特有なＳＲＳ周波数ホッピングパターンを前記ワイヤレスデバイスに割り当てて、他のワイヤレスデバイスからのＳＲＳ送信との衝突を緩和させることとを含むワイヤレス通信方法。
【請求項３６】
前記セル特有なＳＲＳ周波数ホッピングパターンを決定することは、セルの物理セル識別子の関数として前記セル特有なＳＲＳ周波数ホッピングパターンを計算することを含む請求項３５記載の方法。
【請求項３７】
前記セル特有なＳＲＳ周波数ホッピングパターンを決定することは、前記セル特有なＳＲＳ周波数ホッピングパターンを計算することに伴う１つ以上の変数を時間的にシフトすることを含む請求項３５記載の方法。
【請求項３８】
前記セル特有なＳＲＳ周波数ホッピングパターンを決定することは、セルの物理セル識別子にしたがって、複数のＳＲＳ周波数ホッピングパターンから１つ以上のＳＲＳ周波数ホッピングパターンを選択することを含む請求項３５記載の方法。
【請求項３９】
前記ＳＲＳ周波数ホッピングパターンを決定する開始物理リソースブロックインデックスが、経時的にホッピングすることを可能にすることをさらに含む請求項３８記載の方法。
【請求項４０】
ワイヤレス通信装置において、
ワイヤレスデバイスに対するＳＲＳリソースを通して、セル特有なサウンディング基準信号（ＳＲＳ）周波数ホッピングパターンを決定するための命令と、
前記セル特有なＳＲＳ周波数ホッピングパターンを前記ワイヤレスデバイスに割り当てて、異なるワイヤレスデバイスとのＳＲＳの衝突を緩和させるための命令とを記憶するためのメモリと、
前記メモリからの前記命令を実行するように構成されているプロセッサとを具備するワイヤレス通信装置。
【請求項４１】
ワイヤレス通信のための装置において、
ワイヤレスデバイスに対するＳＲＳリソースを通して、セル特有なサウンディング基準信号（ＳＲＳ）周波数ホッピングパターンを決定する手段と、
前記セル特有なＳＲＳ周波数ホッピングパターンを前記ワイヤレスデバイスに割り当てて、異なるワイヤレスデバイスとのＳＲＳの衝突を緩和を緩和させる手段とを具備する、ワイヤレス通信のための装置。
【請求項４２】
前記決定する手段は、
前記セル特有なＳＲＳ周波数ホッピングパターンをセルの物理セル識別子の関数として計算する手段と、
前記セル特有なＳＲＳ周波数ホッピングパターンを計算することに伴う１つ以上の変数を時間的にシフトする手段と、
セルの物理セル識別子にしたがって、複数のＳＲＳ周波数ホッピングパターンから、１つ以上のＳＲＳ周波数ホッピングパターンを選択する手段と、のうちの１つを備える請求項４１記載の装置。
【請求項４３】
コンピュータプログラムプロダクトにおいて、
ワイヤレスデバイスに対するＳＲＳリソースを通して、セル特有なサウンディング基準信号（ＳＲＳ）周波数ホッピングパターンを少なくとも１つのコンピュータに決定させるためのコードと、
前記少なくとも１つのコンピュータに、前記セル特有なＳＲＳ周波数ホッピングパターンを前記ワイヤレスデバイスに割り当てさせて、異なるワイヤレスデバイスとのＳＲＳの衝突を緩和させるためのコードとを含む有体的コンピュータ読み取り可能な媒体を具備するコンピュータプログラムプロダクト。
【請求項４４】
ワイヤレス通信方法において、
ワイヤレスデバイスにおいて、セル特有なサウンディング基準信号（ＳＲＳ）周波数ホッピングパターンを受信することと、
前記ホッピングパターンに基づいて、ＳＲＳ送信リソースを決定することと、
前記ＳＲＳ送信リソースにしたがって、ＳＲＳ送信を実行することとを含むワイヤレス通信方法。
【請求項４５】
前記決定することは、前記ワイヤレスデバイスが動作しているセルの物理セル識別子を使用して、ＳＲＳ送信リソースを決定することを含む請求項４４記載の方法。
【請求項４６】
前記決定することは、前記ホッピングパターンを循環的にシフトすることによってＳＲＳ送信リソースを決定することを含む請求項４４記載の方法。
【請求項４７】
前記決定することは、前記ホッピングパターンで示された、周波数ドメインの位置に基づいて、送信リソースを決定することを含む請求項４４記載の方法。
【請求項４８】
ワイヤレス通信装置において、
ワイヤレスデバイスにおいて、セル特有なサウンディング基準信号（ＳＲＳ）周波数ホッピングパターンを受信するための命令と、
前記ホッピングパターンに基づいて、ＳＲＳ送信リソースを決定するための命令と、
前記ＳＲＳ送信リソースにしたがって、ＳＲＳ送信を実行するための命令とを記憶するためのメモリと、
前記メモリからの前記命令を実行するためのプロセッサとを具備するワイヤレス通信装置。
【請求項４９】
ワイヤレス通信のための装置において、
ワイヤレスデバイスにおいて、セル特有なサウンディング基準信号（ＳＲＳ）周波数ホッピングパターンを受信する手段と、
前記決定したホッピングパターンに基づいて、ＳＲＳ送信リソースを決定する手段と、
前記ＳＲＳ送信リソースにしたがって、ＳＲＳ送信を実行する手段とを具備する、ワイヤレス通信のための装置。
【請求項５０】
コンピュータプログラムプロダクトにおいて、
ワイヤレスデバイスにおいて、セル特有なサウンディング基準信号（ＳＲＳ）周波数ホッピングパターンを少なくとも１つのコンピュータに受信させるためのコードと、
前記ホッピングパターンに基づいて、ＳＲＳ送信リソースを前記少なくとも１つのコンピュータに決定させるためのコードと、
前記ＳＲＳ送信リソースにしたがって、ＳＲＳ送信を前記少なくとも１つのコンピュータに実行させるためのコードとを含む有体的コンピュータ読み取り可能な媒体を具備するコンピュータプログラムプロダクト。
【発明の詳細な説明】
【関連出願に対する相互参照】
【０００１】
本出願は、「ＬＴＥアドバンスドのためのサウンディング基準信号の向上」と題する、２００９年１２月３日に出願された米国仮特許出願シリアル番号第６１／２６６，４５６号の利益を主張し、この出願は、その全体の参照によりここに組み込まれている。
【背景】
【０００２】
Ｉ．発明の分野
以下の記述は、一般的に、ワイヤレス通信に関し、詳細に述べると、チャネルを通しての基準信号の送信のために、リソースエレメントを提供することに関連する。
【０００３】
ＩＩ．関連する背景
音声、データ等のような、さまざまなタイプの通信コンテンツを提供するために、ワイヤレス通信システムが広範囲に配備されている。これらのシステムは、利用可能なシステムリソース（例えば、帯域幅および送信電力）を共有することによって、複数のユーザとの通信をサポートすることができる多元接続システムであってもよい。このような多元接続システムの例は、コード分割多元接続（ＣＤＭＡ）システムや、時分割多元接続（ＴＤＭＡ）システムや、周波数分割多元接続（ＦＤＭＡ）システムや、３ＧＰＰロングタームエボリューション（ＬＴＥ）システムや、直交周波数分割多元接続（ＯＦＤＭＡ）システムを含む。
【０００４】
一般的に、ワイヤレス多元接続通信システムは複数のワイヤレス端末に対する通信を同時にサポートすることができる。それぞれの端末は、フォワードリンクおよびリバースリンク上での送信を通して、１つ以上の基地局と通信する。フォワードリンク（すなわち、ダウンリンク）は、基地局から端末への通信リンクのことを意味し、そして、リバースリンク（すなわち、アップリンク）は、端末から基地局への通信リンクのことを意味する。この通信リンクは、単一入力単一出力、複数入力信号出力、または、複数入力複数出力（ＭＩＭＯ）システムを通して確立してもよい。
【０００５】
ＭＩＭＯシステムは、データ送信のために、複数（ＮT）本の送信アンテナと、複数の（ＮR）本の受信アンテナとを用いる。ＮT本の送信アンテナとＮR本の受信アンテナとによって形成されるＭＩＭＯチャネルは、ＮS個の独立チャネルに分解されてもよく、このＮS個の独立チャネルは、空間チャネルとも呼ばれる。ここでは、ＮS≦ｍｉｎ｛ＮT，ＮR｝である。ＮS個の独立チャネルのそれぞれは、次元に対応している。複数の送信アンテナおよび複数の受信アンテナによって生成される付加的な次元性を利用する場合、ＭＩＭＯシステムは、改善した性能（例えば、より高いスループットおよび／またはより高い信頼性）を提供することができる。
【０００６】
加えて、移動体端末は、例えば、アップリンクチャネル品質を計算するために利用することができる、サウンディング基準信号（ＳＲＳ）を基地局に送信することができる。基地局は、アップリンクリソースを送信移動体端末に割り振る際にＳＲＳを利用することができる。ＬＴＥリリース８（Ｒｅｌ−８）では、特定のセルに関連する、最大送信帯域幅、利用可能なサブフレーム等のような、ＳＲＳを送信するためのいくつかのパラメータを、ワイヤレスネットワークの動作の間に規定することができる。さらには、特定の移動体端末に対する、ＳＲＳ期間およびサブフレームオフセットのコンフィギュレーションインデックス、端末に対する帯域幅、開始リソースブロック、周波数ホッピング帯域幅、送信コム（ｔｒａｎｓｍｉｓｓｉｏｎ ｃｏｍｂ）、ＳＲＳ送信持続時間、基準シーケンスを発生させるための循環シフト、および／または、これらに類するもののような、移動体端末に特有なパラメータも、ランタイムにおいて規定することができる。Ｒｅｌ−８における移動体端末は、これらのパラメータによって特定されるようなＳＲＳを送信することができる。ＬＴＥアドバンスド（ＬＴＥ−Ａ）移動体端末は、ＳＲＳコンフィギュレーションの向上から利益を得ることができる、より高度な技術と特徴とをサポートすることができる。
【０００７】
ＬＴＥ−Ａネットワークにおけるサウンディング基準信号の使用のために、高度なフレームワークを提供する必要がある。
【概要】
【０００８】
本開示において提供されるシステムおよび方法は、上記で説明したニーズ等を満たす。簡単に大まかに言えば、開示した設計は、ＳＲＳリソースの送信および割り振りのための向上した能力を提供するための方法および装置を提供する。
【０００９】
以下では、このような技術および実施形態の基本的な理解を提供するために、１つ以上の実施形態の簡略化した概要を示している。この概要は、すべての企図された実施形態の多彩な概略ではなく、すべての実施形態の重要または不可欠なエレメントを識別することも、何らかの実施形態またはすべての実施形態の範囲について詳細に述べることも意図していない。この唯一の目的は、後に示す、より詳細な説明の前置きとして、１つ以上の実施形態のうちのいくつかの概念を簡単な形態で示すことである。
【００１０】
１つの例示的な態様では、ワイヤレス通信方法は、ワイヤレスデバイスが動的なサウンディング基準信号（ＳＲＳ）リソースを望むか否かを決定することと、その決定に基づいて、動的なＳＲＳリソースの割り振りをワイヤレスデバイスに対して提供することとを含む。
【００１１】
別の例示的な態様では、ワイヤレスデバイスが動的なＳＲＳリソースを望むか否かを決定する命令と、その決定に基づいて、動的なＳＲＳリソースの割り振りをワイヤレスデバイスに対して提供する命令とを記憶するように構成されているメモリと、そのメモリからの命令を実行するように構成されているプロセッサとを具備するワイヤレス通信装置を開示する。
【００１２】
さらなる別の例示的な態様では、ワイヤレス通信のための装置は、ワイヤレスデバイスが動的なサウンディング基準信号（ＳＲＳ）リソースを望むか否かを決定する手段と、その決定に基づいて、動的なＳＲＳリソースの割り振りをワイヤレスデバイスに対して提供する手段とを具備する。
【００１３】
さらなる別の例示的な態様では、ワイヤレスデバイスが動的なサウンディング基準信号（ＳＲＳ）リソースを望むか否かを少なくとも１つのコンピュータに決定させるためのコードと、その決定に基づいて、動的なＳＲＳリソースの割り振りをワイヤレスデバイスに対して少なくとも１つのコンピュータに提供させるためのコードとを含む有体的コンピュータ読み取り可能な媒体を具備するコンピュータプロダクトを開示する。
【００１４】
さらなる別の例示的な態様では、ワイヤレスデバイス上で実現されるワイヤレス通信のための方法は、動的なサウンディング基準信号（ＳＲＳ）リソースの割り振りを受信することと、動的なＳＲＳリソースの割り振りにしたがって、ＳＲＳを送信することとを含む。
【００１５】
さらなる別の例示的な実施形態では、動的なサウンディング基準信号（ＳＲＳ）リソースの割り振りを受信するための命令と、動的なＳＲＳリソースの割り振りにしたがって、ＳＲＳを送信するための命令とを記憶するように構成されているメモリと、メモリからの命令を実行するように構成されているプロセッサとを具備するワイヤレス通信装置を開示する。
【００１６】
さらなる別の例示的な実施形態では、ワイヤレス通信装置は、動的なサウンディング基準信号（ＳＲＳ）リソースの割り振りを受信する手段と、動的なＳＲＳリソースの割り振りにしたがって、ＳＲＳを送信する手段とを具備する。
【００１７】
さらなる別の例示的な実施形態では、動的なサウンディング基準信号（ＳＲＳ）リソースの割り振りを少なくとも１つのコンピュータに受信させるためのコードと、動的なＳＲＳリソースの割り振りにしたがって、ＳＲＳを少なくとも１つのコンピュータに送信させるためのコードとを含む有体的コンピュータ読み取り可能な媒体を具備するコンピュータプログラムプロダクトを開示する。
【００１８】
さらなる別の例示的な実施形態では、ワイヤレス通信のための方法は、１つ以上の協働セルと共有されている複数の共通サウンディング基準信号（ＳＲＳ）サブフレームを構成することと、複数の共通のＳＲＳサブフレームのうちの少なくとも１つを通しての直交ＳＲＳ送信を促進するための、ＳＲＳコンフィギュレーションパラメータをワイヤレスデバイスに対して提供することとを含む。
【００１９】
さらなる別の例示的な実施形態では、１つ以上の協働セルとともに、複数の共通サウンディング基準信号（ＳＲＳ）サブフレームを構成するための命令と、複数の共通のＳＲＳサブフレームのうちの少なくとも１つを通しての直交ＳＲＳ送信を促進するための、ＳＲＳコンフィギュレーションパラメータをワイヤレスデバイスに対して提供するための命令とを記憶するメモリと、メモリからの命令を実行するように構成されているプロセッサとを具備するワイヤレス通信装置を開示する。
【００２０】
さらなる別の例示的な態様では、１つ以上の協働セルと共有されている複数の共通サウンディング基準信号（ＳＲＳ）サブフレームを構成する手段と、複数の共通のＳＲＳサブフレームのうちの少なくとも１つを通しての直交ＳＲＳ送信を促進するための、ＳＲＳコンフィギュレーションパラメータをワイヤレスデバイスに対して提供する手段とを具備するワイヤレス通信装置を開示する。
【００２１】
さらなる別の例示的な態様では、１つ以上の協働セルとともに、複数の共通サウンディング基準信号（ＳＲＳ）サブフレームを少なくとも１つのコンピュータに構成させるためのコードと、複数の共通のＳＲＳサブフレームのうちの少なくとも１つを通しての直交ＳＲＳ送信を促進するための、ＳＲＳコンフィギュレーションパラメータをワイヤレスデバイスに対して少なくとも１つのコンピュータに提供させるためのコードとを含む有体的コンピュータ読み取り可能な媒体を具備するコンピュータプログラムプロダクトを開示する。
【００２２】
さらなる別の例示的な態様では、セルラワイヤレスネットワークにおける、基準信号の送信の方法は、サウンディング基準信号（ＳＲＳ）コンフィギュレーションパラメータを受信することと、ＳＲＳコンフィギュレーションパラメータに基づいて、ＳＲＳ送信を実行することとを含む。
【００２３】
さらなる別の例示的な態様では、ワイヤレス通信装置は、サウンディング基準信号（ＳＲＳ）コンフィギュレーションパラメータを受信する手段と、ＳＲＳコンフィギュレーションパラメータに基づいて、ＳＲＳ送信を実行する手段とを具備する。
【００２４】
さらなる別の例示的な態様では、サウンディング基準信号（ＳＲＳ）コンフィギュレーションパラメータを受信するためのコードと、ＳＲＳコンフィギュレーションパラメータに基づいて、ＳＲＳ送信を実行するためのコードとを含む有体的コンピュータ読み取り可能な媒体を具備するコンピュータプログラムプロダクトを開示する。
【００２５】
さらなる別の例示的な態様では、ワイヤレス通信方法は、ワイヤレスデバイスに対するＳＲＳリソースを通して、セルに特有なＳＲＳ周波数ホッピングパターンを決定することと、セル特有なＳＲＳ周波数ホッピングパターンをワイヤレスデバイスに割り当てて、他のワイヤレスデバイスからのＳＲＳ送信との衝突を緩和させることとを含む。
【００２６】
さらなる別の例示的な態様では、ワイヤレスデバイスに対するＳＲＳリソースを通して、セル特有なサウンディング基準信号（ＳＲＳ）周波数ホッピングパターンを決定するための命令と、セル特有なＳＲＳ周波数ホッピングパターンをワイヤレスデバイスに割り当てて、異なるワイヤレスデバイスとの、ＳＲＳの衝突を緩和させるための命令とを記憶するためのメモリと、メモリからの命令を実行するためのプロセッサとを具備するワイヤレス通信装置を開示する。
【００２７】
さらなる別の例示的な態様では、装置は、ワイヤレスデバイスに対するＳＲＳリソースを通して、セル特有なサウンディング基準信号（ＳＲＳ）周波数ホッピングパターンを決定する手段と、セル特有なＳＲＳ周波数ホッピングパターンをワイヤレスデバイスに割り当てて、異なるワイヤレスデバイスとの、ＳＲＳの衝突を緩和させる手段とを具備する。
【００２８】
さらなる別の例示的な態様では、ワイヤレスデバイスに対するＳＲＳリソースを通して、セル特有なサウンディング基準信号（ＳＲＳ）周波数ホッピングパターンを少なくとも１つのコンピュータに決定させるためのコードと、少なくとも１つのコンピュータに、セル特有なＳＲＳ周波数ホッピングパターンをワイヤレスデバイスに割り当てさせて、異なるワイヤレスデバイスとの、ＳＲＳの衝突を緩和させるためのコードとを含む有体的コンピュータ読み取り可能な媒体を具備するコンピュータプログラムプロダクトを開示する。
【００２９】
さらなる別の例示的な態様では、ワイヤレス通信方法は、ワイヤレスデバイスにおいて、セル特有なサウンディング基準信号（ＳＲＳ）周波数ホッピングパターンを受信することと、受信したホッピングパターンに基づいて、ＳＲＳ送信リソースを決定することと、決定されたＳＲＳ送信リソースにしたがって、ＳＲＳ送信を実行することとを含む。
【００３０】
さらなる別の例示的な態様では、ワイヤレスデバイスにおいて、セル特有なサウンディング基準信号（ＳＲＳ）周波数ホッピングパターンを受信するための命令と、受信したホッピングパターンに基づいて、ＳＲＳ送信リソースを決定するための命令と、決定されたＳＲＳ送信リソースにしたがって、ＳＲＳ送信を実行するための命令とを記憶するためのメモリと、メモリからの命令を実行するためのプロセッサとを具備するワイヤレス通信装置を開示する。
【００３１】
さらなる別の例示的な態様では、装置は、ワイヤレスデバイスにおいて、セル特有なサウンディング基準信号（ＳＲＳ）周波数ホッピングパターンを受信する手段と、受信したホッピングパターンに基づいて、ＳＲＳ送信リソースを決定する手段と、決定されたＳＲＳ送信リソースにしたがって、ＳＲＳ送信を実行する手段とを具備する。
【００３２】
さらなる別の例示的な態様では、ワイヤレスデバイスにおいて、セル特有なサウンディング基準信号（ＳＲＳ）周波数ホッピングパターンを少なくとも１つのコンピュータに受信させるためのコードと、受信したホッピングパターンに基づいて、ＳＲＳ送信リソースを少なくとも１つのコンピュータに決定させるためのコードと、決定されたＳＲＳ送信リソースにしたがって、ＳＲＳ送信を少なくとも１つのコンピュータに実行させるためのコードとを含む有体的コンピュータ読み取り可能な媒体を具備するコンピュータプログラムプロダクトを開示する。
【００３３】
先述の関連した目的の達成のために、１つ以上の態様は、後に完全に記述する特徴、および、特許請求の範囲中で特に指摘する特徴を含んでいる。以下の説明および添付図面は、いくつかの例示的な態様を詳細に述べており、ほんの数例のさまざまな方法を示しているにすぎず、ここでは、その態様の原理を用いることができる。他の利点および新規な特徴は、図面と一緒に考慮したときに以下の詳細な説明から明らかになり、この開示した態様はこのようなすべての態様およびこれらの均等物を含むことを意図している。
【図面の簡単な説明】
【００３４】
本開示の特徴、性質、および利点は、同じ参照文字が全体を通して対応したものを識別している図面と一緒に考慮に入れるときに、以下で述べられている詳細な説明からさらに明らかになるであろう。  
【図１】図１は、１つの実施形態にしたがった、多元接続ワイヤレス通信システムを図示している。
【図２】図２は、通信システムのブロック図を図示している。
【図３】図３は、サウンディング基準信号（ＳＲＳ）リソースの割り当てを図示している例示的なマルチレベルのツリー構造を示しているブロック図を図示している。
【図４】図４は、半静的かつ動的に割り振られたＳＲＳリソース間のタイミング関係を図示している。
【図５】図５は、ワイヤレス通信のプロセスのフローチャートの表現を図示している。
【図６】図６は、ワイヤレス通信装置の一部のブロック図の表現を図示している。
【図７】図７は、ワイヤレス通信のプロセスのフローチャートの表現を図示している。
【図８】図８は、ワイヤレス通信装置の一部のブロック図の表現を図示している。
【図９】図９は、マルチセルのワイヤレス通信システムのブロック図の表現を図示している。
【図１０】図１０は、ワイヤレス通信システムにおいて送信される、サブフレームのシーケンスを図示している。
【図１１】図１１は、ワイヤレス通信のプロセスのフローチャートの表現を図示している。
【図１２】図１２は、ワイヤレス通信装置の一部のブロック図の表現を図示している。
【図１３】図１３は、ワイヤレス通信のプロセスのフローチャートの表現を図示している。
【図１４】図１４は、ワイヤレス通信装置の一部のブロック図の表現を図示している。
【図１５】図１５は、ワイヤレス通信システムにおいてサウンディング基準信号リソースを割り当てるための関数の例を図示しているチャートを図示している。
【図１６】図１６は、ワイヤレス通信システムにおいてサウンディング基準信号リソースを割り当てるための関数の例を図示しているチャートを図示している。
【図１７】図１７は、ワイヤレス通信システムにおいてサウンディング基準信号リソースを割り当てるための関数の例を図示しているチャートを図示している。
【図１８】図１８は、ワイヤレス通信システムにおいてサウンディング基準信号リソースを割り当てるための関数の例を図示しているチャートを図示している。
【図１９】図１９は、ワイヤレス通信システムにおいてサウンディング基準信号リソースを割り当てるための関数の例を図示しているチャートを図示している。
【図２０】図２０は、ワイヤレス通信のプロセスのフローチャートの表現を図示している。
【図２１】図２１は、ワイヤレス通信装置の一部のブロック図の表現を図示している。
【図２２】図２２は、ワイヤレス通信のプロセスのフローチャートの表現を図示している。
【図２３】図２３は、ワイヤレス通信装置の一部のブロック図の表現を図示している。
【説明】
【００３５】
これから、図面を参照して、さまざまな態様を記述する。以下の記述では、説明の目的のために、１つ以上の態様の全体的な理解を提供するために、多数の特定の詳細な説明を述べた。しかしながら、これらの特定の詳細な説明がなくても、さまざまな態様を実施できることは明らかである。他の例では、これらの態様を記述することを容易にするために、よく知られている構造およびデバイスはブロック図の形態で示した。
【００３６】
コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワーク等のような、さまざまなワイヤレス通信ネットワークに対して、ここで記述した技術を使用してもよい。「ネットワーク」および「システム」という用語は、互換性があるように使用されることが多い。ＣＤＭＡネットワークは、ユニバーサル地上無線アクセス（ＵＴＲＡ）、ｃｄｍａ２０００等のような無線技術を実現してもよい。ＵＴＲＡは、ワイドバンド−ＣＤＭＡ（Ｗ−ＣＤＭＡ）および低チップレート（ＬＣＲ）を含む。ｃｄｍａ２０００は、ＩＳ−２０００、ＩＳ−９５、およびＩＳ−８５６標準規格をカバーしている。ＴＤＭＡネットワークは、グローバルシステムフォーモバイル通信（ＧＳＭ）（登録商標）のような無線技術を実現してもよい。ＯＦＤＭＡネットワークは、進化したＵＴＲＡ（Ｅ−ＵＴＲＡ）や、ＩＥＥＥ８０２．１１や、ＩＥＥＥ８０２．１６や、ＩＥＥＥ８０２．２０や、フラッシュ−ＯＦＤＭ等のような無線技術を実現してもよい。ＵＴＲＡ、Ｅ−ＵＴＲＡ、およびＧＳＭは、ユニバーサル移動体電気通信システム（ＵＭＴＳ）の一部である。ロングタームエボリューション（ＬＴＥ）は、Ｅ−ＵＴＲＡを使用する、やがて登場するリリースのＵＭＴＳである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名付けられている機関による文書中に記述されている。ｃｄｍａ２０００は、「第３世代パートナーシッププロジェクト２」（３ＧＰＰ２）と名付けられている機関による文書中に記述されている。これらのさまざまな無線技術および標準規格は、技術的に知られている。明確にするために、技術のいくつかの態様をＬＴＥについて以下で記述し、以下の記述の大部分ではＬＴＥの専門用語を使用する。
【００３７】
単一搬送波周波数分割多元接続（ＳＣ−ＦＤＭＡ）は、単一搬送波変調および周波数ドメイン等化を利用する技術である。ＳＣ−ＦＤＭＡは、ＯＦＤＭＡシステムの複雑さと、類似した性能および実質的に同一の全体的な複雑さとを有する。ＳＣ−ＦＤＭＡ信号は、この固有の単一搬送波構造であるために、より低いピーク対平均電力比（ＰＡＰＲ）を有する。特に、送信電力効率の点で、より低いＰＡＰＲが移動体端末に大いに利益をもたらすアップリンク通信では、ＳＣ−ＦＤＭＡが、大きな注目を集めている。これは、現在、３ＧＰＰロングタームエボリューション（ＬＴＥ）または進化したＵＴＲＡにおけるアップリンク多元接続スキームに対する作業仮説である。
【００３８】
ワイヤレス通信の性能の改善を助けるために、ＬＴＥリリース８またはリリース９（Ｒｅｌ−８／９）およびＬＴＥ−アドバンスド（ＬＴＥ−Ａ）では、サウンディング基準信号（ＳＲＳ）を使用する。ＳＲＳは、基地局において知られる信号であり、基地局によって特定されている時間／周波数送信リソースを使用して、それぞれの移動体端末によって送信される。移動体端末との通信を改善させるために、基地局は、受信したＳＲＳ送信を解析してもよい。ＳＲＳを解析するいくつかの技術は、ダウンリンク上での信号送信を改善させるものであり、よく知られており、簡潔さのためにここでは説明しない。移動体端末への／からのチャネルを特徴付けるために、移動体端末から受信したＳＲＳを使用するので、概念的には、受信されたＳＲＳには、そのネットワーク（同じセルまたは隣接セル）中の他の移動体端末による送信からの干渉は存在しないはずである。さらには、移動体端末の動きのような動作条件によって、チャネルが時間的に変わることがある。したがって、このようなチャネルの変化による、送信の妨げを克服するためにチャネルを再測定することは、このようなチャネルが変わる間の、短期間のチャネル送信の性能を改善する助けとなることができる。
【００３９】
簡単に大まかに言えば、動的なＳＲＳリソースの割り振り技術を開示する。１つの態様では、動的なＳＲＳリソースの割り振りは、チャネルの速いサウンディングを可能にし、このチャネルの速いサウンディングは、チャネル条件の瞬間的な変動に応答して役立つことができる。別の態様では、動的なＳＲＳリソースを使用して、基地局は、以前に定期的にスケジューリングされた（ＬＴＥ Ｒｅｌ−８／９などで半静的に構成されている）ＳＲＳの送信インスタンスの間にチャネルを「サウンディング」することによってチャネルを再特徴付けする時折のニーズに対処することができる。「サウンディング」という用語は、送信チャネルを通して基準信号を送信することを意味する。１つの態様では、半静的なＳＲＳリソースの割り振りスキームの代わりに、動的なＳＲＳリソースの割り振りスキームを使用してもよい。いくつかの設計では、動的なＳＲＳ送信のために送信リソースのプールを予約してもよく、リソースのプールは移動体端末に知られていてもよい。必要なときに、動的なＳＲＳ送信のために、予約されたプールからの特定の送信リソースを使用するように移動体端末に命令してもよい。このような方法で、他の移動体端末からの、半静的な送信および／またはＳＲＳの送信との干渉を回避することができる。
【００４０】
簡単に大まかに言えば、ＳＲＳ送信のセル間の直交化のための技術を提供する。協働セル中で送信している移動体端末からのＳＲＳ送信の直交化のための、可能性ある設計は、周波数ドメイン、時間ドメイン、および／またはコードドメイン中で直交化することを含む。１つの態様では、協働セルの基地局が、ＳＲＳ送信のセル間の直交化を促進するために、ＳＲＳリソースの割り振りを調整してもよい。
【００４１】
簡単に大まかに言えば、異なるセルにおいて、ランダム化されたＳＲＳホッピングパターンを促進するための技術を開示する。１つの態様では、ＳＲＳホッピングパターンをランダム化することにより、異なるセルのＳＲＳ送信の間の衝突を、減少させる、または、なくすことができる。いくつかの設計では、Ｒｅｌ−８において使用されるいくつかのＳＲＳの割り振りの公式を簡単に拡張することによって、このようなランダム化を達成する。
【００４２】
上記の態様および他の態様を以下でより詳細に開示する。
【００４３】
図１は、ワイヤレス通信システム１００を示しており、このワイヤレス通信システム１００は、ＬＴＥシステムまたは他の何らかのシステムであってもよい。システム１００は、多数の進化したノードＢ（ｅＮＢ）１１０と、他のネットワークエンティティとを含んでいてもよい。ｅＮＢ１１０は、ＵＥと通信するエンティティであってもよく、基地局、ノードＢ、アクセスポイント等とも呼ばれることがある。それぞれのｅＮＢ１１０は、特定の地理的エリアに対する通信カバレッジを提供してもよく、カバレッジエリア内で位置付けられているＵＥに対する通信をサポートしてもよい。容量を改善するために、ｅＮＢのカバレッジエリア全体を、複数の（例えば、３つの）より小さいエリアに区分してもよい。それぞれの、より小さいエリアは、各ｅＮＢサブシステムによって担当されてもよい。３ＧＰＰでは、「セル」という用語は、ｅＮＢの最も小さいカバレッジエリアのことを、および／または、このカバレッジエリアを担当しているｅＮＢサブシステムのことを意味することがある。
【００４４】
ＵＥ１２０は、システム全体を通して分散されていてもよく、それぞれのＵＥ１２０は静的なものであっても、または、移動性のものであってもよい。ＵＥ１２０を、移動局、端末、アクセス端末、加入者ユニット、局等とも呼ぶことがある。ＵＥ１２０は、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマート電話機、ノートブック、スマートブック等であってもよい。
【００４５】
ＬＴＥは、ダウンリンク上では直交周波数分割多重化（ＯＦＤＭ）を利用し、アップリンク上では単一搬送波周波数分割多重化（ＳＣ−ＦＤＭ）を利用する。ＯＦＤＭおよびＳＣ−ＦＤＭは、周波数範囲を複数の（Ｋ）個の直交副搬送波に区分し、これらの副搬送波は、一般的に、トーン、ビン等とも呼ばれる。それぞれの副搬送波は、データにより変調してもよい。一般的に、変調シンボルは、周波数ドメイン中ではＯＦＤＭにより送られ、時間ドメイン中ではＳＣ−ＦＤＭにより送られる。近接副搬送波間の間隔は、固定されていてもよく、副搬送波の総数（Ｋ）は、システム帯域幅に依存していてもよい。例えば、Ｋは、１．２５、２．５、５、１０、または２０メガヘルツ（ＭＨｚ）のシステム帯域幅に対して、それぞれ、１２８、２５６、５１２、１０２４、または２０４８に等しくてもよい。システム帯域幅は、全部でＫ個の副搬送波のサブセットに対応していてもよい。
【００４６】
図２は、例示的な基地局／ｅＮＢ１１０およびＵＥ１２０の設計のブロック図を示しており、この基地局／ｅＮＢ１１０およびＵＥ１２０は、図１中の、ｅＮＢのうちの１つ、および、ＵＥのうちの１つであってもよい。ＵＥ１２０には、Ｔ本のアンテナ１２３４ａないし１２３４ｔが備えられていてもよく、基地局１１０には、Ｒ本のアンテナ１２５２ａないし１２５２ｒが備えられていてもよく、ここでは、一般的に、Ｔ≧１およびＲ≧１である。
【００４７】
ＵＥ１２０では、送信プロセッサ１２２０が、データソース１２１２からのデータと、制御装置／プロセッサ１２４０からの制御情報とを受け取ってもよい。送信プロセッサ１２２０は、そのデータと制御情報とを処理（例えば、エンコード、インターリーブ、およびシンボルマッピング）してもよく、それぞれ、データシンボルと制御シンボルとを提供してもよい。送信プロセッサ１２２０はまた、ＵＥ１２０に割り当てられた１つ以上のＲＳシーケンスに基づいて、複数の連続していないクラスタに対する１つ以上の復調基準信号を発生させてもよく、基準シンボルを提供してもよい。送信（ＴＸ）複数入力複数出力（ＭＩＭＯ）プロセッサ１２３０は、適用できるならば、データシンボル上で、制御シンボル上で、および／または送信プロセッサ１２２０からの基準シンボル上で、空間処理（例えば、プリコーディング）を実行してもよく、Ｔ個の出力シンボルストリームをＴ個の変調器（ＭＯＤ）１２３２ａないし１２３２ｔに提供してもよい。それぞれの変調器１２３２は、（例えば、ＳＣ−ＦＤＭＡ、ＯＦＤＭ等のために）各出力シンボルストリームを処理して、出力サンプルストリームを取得してもよい。それぞれの変調器１２３２は、出力サンプルストリームをさらに処理（例えば、アナログ変換、増幅、フィルタリング、およびアップコンバート）して、アップリンク信号を取得してもよい。Ｔ本のアンテナ１２３４ａないし１２３４ｔを通して、それぞれ、変調器１２３２ａないし１２３２ｔからのＴ個のアップリンク信号を送信してもよい。
【００４８】
基地局１１０では、アンテナ１２５２ａないし１２５２ｒが、ＵＥ１２０からのアップリンク信号を受信し、それぞれ、受信信号を復調器（ＤＥＭＯＤ）１２５４ａｔないし１２５４ｒに提供してもよい。それぞれの復調器１２５４は、各受信信号を調整（例えば、フィルタリング、増幅、ダウンコンバート、およびデジタル化）して、受信サンプルを取得してもよい。それぞれの復調器１２５４は、受信したサンプルをさらに処理して、受信したシンボルを取得してもよい。チャネルプロセッサ／ＭＩＭＯ検出器１２５６が、Ｒ個の復調器１２５４ａないし１２５４ｒのすべてから受信シンボルを取得してもよい。チャネルプロセッサ１２５６は、ＵＥ１２０から受信した復調基準信号に基づいて、ＵＥ１２０から基地局１１０へのワイヤレスチャネルに対するチャネル推定値を導出してもよい。ＭＩＭＯ検出器１２５６は、チャネル推定値に基づいて、受信したシンボル上でＭＩＭＯ検出／復調を実行してもよく、検出したシンボルを提供してもよい。受信プロセッサ１２５８が、検出したシンボルを処理（例えば、シンボルデマッピング、デインターリーブ、およびデコード）して、デコードしたデータをデータシンク１２６０に提供し、デコードした制御情報を制御装置／プロセッサ１２８０に提供してもよい。
【００４９】
ダウンリンク上で、基地局１１０では、データソース１２６２からのデータと、制御装置／プロセッサ１２８０からの制御情報とを送信プロセッサ１２６４によって処理し、適用できるならば、ＴＸ ＭＩＭＯプロセッサ１２６６によってプレコーディングして、変調器１２５４ａないし１２５４ｒによって調整し、ＵＥ１２０に送信してもよい。ＵＥ１２０では、基地局１１０からのダウンリンク信号を、アンテナ１２３４によって受信し、復調器１２３２によって調整し、チャネル推定器／ＭＩＭＯ検出器１２３６によって処理し、受信プロセッサ１２３８によってさらに処理して、ＵＥ１２０に送られるデータと制御情報とを取得してもよい。プロセッサ１２３８は、デコードされたデータをデータシンク１２３９に、そして、デコードされた制御情報を制御装置／プロセッサ１２４０に提供してもよい。
【００５０】
制御装置／プロセッサ１２４０および１２８０は、それぞれ、ＵＥ１２０および基地局１１０における動作を指示してもよい。ＵＥ１２０における、プロセッサ１２２０、プロセッサ１２４０、および／または他のプロセッサおよびモジュールは、図１４中のプロセス１４００を、および／または、ここで記述した技術に対する他のプロセスを、実行または指示してもよい。基地局１１０における、プロセッサ１２５６、プロセッサ１２８０、および／または他のプロセッサおよびモジュールは、図１２中のプロセス１２００を、および／または、ここで記述した技術に対する他のプロセスを、実行または指示してもよい。メモリ１２４２および１２８２は、それぞれ、ＵＥ１２０および基地局１１０に対するデータおよびプログラムコードを記憶してもよい。スケジューラ１２８４は、ダウンリンクおよび／またはアップリンク送信のためにＵＥをスケジューリングしてもよく、リソースの割り振り（例えば、複数の連続していないクラスタの割り当て、復調基準信号に対するＲＳシーケンス等）を、スケジューリングされたＵＥに提供してもよい。
【００５１】
態様では、論理チャネルは、制御チャネルとトラフィックチャネルとに分類される。論理制御チャネルは、ブロードキャスト制御チャネル（ＢＣＣＨ）を含み、このブロードキャスト制御チャネル（ＢＣＣＨ）は、システム制御情報をブロードキャストするためのＤＬチャネルである。ページング制御チャネル（ＰＣＣＨ）は、ページング情報を伝送するＤＬチャネルである。マルチキャスト制御チャネル（ＭＣＣＨ）は、１つまたはいくつかのＭＴＣＨに対する、マルチメディアブロードキャストおよびマルチキャストサービス（ＭＢＭＳ）スケジューリングおよび制御情報を送信するために使用される、ポイントツーマルチポイントＤＬチャネルである。一般的に、ＲＲＣ接続を確立した後、このチャネルは、ＭＢＭＳを受信するＵＥによってのみ使用される（注：古いＭＣＣＨ＋ＭＳＣＨ）。専用制御チャネル（ＤＣＣＨ）は、専用制御情報を送信し、ＲＣＣ接続を有するＵＥにより使用される、ポイントツーポイント二方向チャネルである。態様では、論理トラフィックチャネルは、専用トラフィックチャネル（ＤＴＣＨ）を含み、この専用トラフィックチャネル（ＤＴＣＨ）は、ユーザ情報の伝送のための、１つのＵＥ専用のポイントツーポイント二方向チャネルである。また、マルチキャストトラフィックチャネル（ＭＴＣＨ）は、トラフィックデータを送信するためのポイントツーマルチポイントＤＬチャネルのためのものである。
【００５２】
態様では、移送チャネルは、ＤＬとＵＬとに分類される。ＤＬ移送チャネルは、ブロードキャストチャネル（ＢＣＨ）とダウンリンク共有データチャネル（ＤＬ−ＳＤＣＨ）とページングチャネル（ＰＣＨ）とを含み、このＰＣＨは、（ＤＲＸサイクルが、ネットワークによりＵＥに示される）ＵＥの電力節約をサポートするためのものであり、セル全体にわたってブロードキャストされ、他の制御／トラフィックチャネルに対して使用できるＰＨＹリソースにマッピングされる。ＵＬ移送チャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを含む。ＰＨＹチャネルは、ＤＬチャネルおよびＵＬチャネルの組を含む。
【００５３】
Ｒｅｌ−８／９システムのような従来のワイヤレス通信システムでは、ＳＲＳは、（例えば、開放型システム相互接続すなわちＯＳＩ、プロトコルスタックにおけるレイヤ３よりも上のレイヤにおける）上位レイヤによって半静的に構成されていてもよい。半静的に構成されている周期的なＳＲＳ送信は、典型的に、（例えば、１００ないし１０００ミリ秒、または、より多い）数百ミリ秒の応答時間を持っているので、ある高速に生じる瞬間的なチャネルの変化に応答して、ゆっくりであることがある。ある設計では、基地局におけるより高いレイヤコンポーネントは、セルに特有であるＳＲＳコンフィギュレーションパラメータを通してＳＲＳを構成してもよい。例えば、Ｒｅｌ−８では、セル特有なＳＲＳコンフィギュレーションパラメータは、srs-BandwidthConfig（ＣSRS）を含み、このsrs-BandwidthConfig（ＣSRS）は、パラメータＴSFCおよびΔSFCによって特定される、最大ＳＲＳ送信帯域幅およびsrsSubframeConfigurationを示している。これらのパラメータＴSFCおよびΔSFCは、ＳＲＳ送信のための利用可能なサブフレームを規定する。
【００５４】
Ｒｅｌ−８／９のような従来のワイヤレス通信システムでは、ＵＥ特有なＳＲＳコンフィギュレーションパラメータは、ＳＲＳコンフィギュレーションインデックスＩSRSと、特定のＵＥ１２０に対するＳＲＳ期間（ＴSRS）と、特定のＵＥ１２０に対するＳＲＳサブフレームオフセット（Ｔoffset）とを含む。さらには、特定のＵＥ１２０に対するＳＲＳ帯域幅は、パラメータＢSRSによって特定される。パラメータｎRRCは開始物理リソースブロック（ＰＲＢ）を示し、ｂhopは周波数ホッピング帯域幅を表す。さらには、ＳＲＳ送信の動作可能な持続期間（例えば、ディセーブルされるまでに、一回送信するか、または、周期的に送信するか否か）、ＳＲＳリソースの割り振りのために基準シーケンスを発生させる循環シフト、および送信コムパターンは、すべて、より高いレイヤを通して特定されてもよい。
【００５５】
図３は、ＳＲＳ送信に対するリソースの割り当てのための、例示的なツリー構造３００を示している。図示されているツリー構造３００は、４つのレベル、レベル０ないしレベル３を持っている。それぞれの所定のＳＲＳ送信インスタンスでは、パラメータ（ｂ0，ｂ1，ｂ2）の組み合わせによって、そのＳＲＳ送信に割り振られるＲＢを特定してもよい。このパラメータ（ｂ0，ｂ1，ｂ2）の組み合わせが、実際のＲＢの割り振りを見いだすためにツリー構造をどのように横断するのかを特定する。例えば、レベル０におけるグループ３０７によって示されているような、ＳＲＳ送信に利用可能な４８ＲＢの所定の総帯域幅からの、ＳＲＳ送信のための実際のリソースの割り当ては、値ｂ0＝２、ｂ1＝１、およびｂ2＝１によって表される、レベル３における４つのＲＢのグループ３０８であってもよい。一般的に、ｂ0は、３つの異なる値、０、１、および２のうちの１つを取ってもよく、この３つの異なる値は、割り当てられることになるリソースブロックを、列３０２の３つのＲＢグループのうちのどれがカバーするかを示している。同様に、ｂ1は、２つの異なる値、０および１を取ってもよく、この２つの異なる値は、列３０２における所定の選択に対して、列３０４では、上位のグループを選択するか、それとも、下位のグループを選択するかを示している。同様に、ｂ2は、２つの値、０および１のうちの１つを取ってもよく、この２つの異なる値は、列３０４におけるＲＢのそれぞれの選択されたグループに対応して、列３０６では、上位のＲＢグループを選択するか、それとも、下位のＲＢグループを選択するかを示している。以下の記述では、ＳＲＳリソースの割り振りのためのツリー構造３００のさらなる使用を記述する。
【００５６】
アップリンク帯域幅に対する需要が増加することに伴って、アップリンク（ＵＬ）方向のピークスペクトル効率を向上させることが望まれるかもしれない。いくつかの設計では、ＵＬのヘルツ性能ごとに改善したビットに対して、閉ループプリコーディングを実行してもよい。閉ループ設計では、ｅＮＢ１１０が、ＵＬ送信のために使用されるべき所望のプリコーディングベクトルをＵＥ１２０に報知してもよい。
【００５７】
ｅＮＢ１１０が所望のプリコーディングベクトルを正確に計算することができるために、ｅＮＢ１１０は、ＵＥ１２０からｅＮＢ１１０に送られることになるＳＲＳの送信を必要とすることがある。ＵＥ１２０が単一の電力増幅器（ＰＡ）および単一の送信アンテナを有している場合には、Ｒｅｌ−８／９において得られるすべての周期的なＳＲＳ送信機会は、単一の送信アンテナのために確保される。しかしながら、ＵＥ１２０が、複数のアンテナ（例えば、２本の送信アンテナ）、およびまたは、複数のＰＡステージを有しているときに、従来の方法でＳＲＳの送信の機会を割り振ることは、結果として、（１）例えば、異なるＳＲＳリソースが同じＵＥ１２０の異なる送信アンテナに割り振られたときには、ＳＲＳ多重化能力の低下、または、（２）ＵＥ１２０のそれぞれの送信アンテナが交互にサウンドすることができるように、サウンディング期間（すなわち、所定のアンテナからのＳＲＳの送信の反復）が増加するかもしれない、のいずれかになるかもしれない。
【００５８】
さらには、アップリンクトラフィックが集中的であるシチュエーションでは、すべてのＵＥ１２０が、すべての送信アンテナから頻繁かつ周期的にＳＲＳを送ることは無駄が多いかもしれない。代わりに、いくつかの開示した設計では、ＵＬデータトラフィックを送信しているＵＥ１２０にＳＲＳ帯域幅が動的に割り振られてもよい。また、ある設計では、閉ループプリコーディングから利益を得る、より多くのＳＲＳの送信機会が、いくつかのＵＥ１２０に割り振られてもよい。ＵＥ１２０は、例えば、ＵＬデータを送信するＵＥ１２０、および／または、他のＵＥ１２０よりもより高いエラーレートを持つＵＥ１２０であってもよい。いくつかの設計では、以下でさらに説明するように、トラフィックバーストおよび変化するチャネル状態によりよく対処するために、Ｒｅｌ−８／９などでは半静的なリソースコンフィギュレーションの代わりに、動的なＳＲＳリソースの割り振りを実行する。
【００５９】
図４は、例示的なＳＲＳリソースの割り振りタイムラインを図示している。チャート４００において示されているように、Ｒｅｌ−８／９などにおける、いくつかの設計では、周期的なＳＲＳリソースが、大体均一な分離で、ＳＲＳのＵＬ送信のために経時的に割り振られてもよい（水平軸４０２）。チャート４００では、ＳＲＳ送信インスタンス４０４が、ＵＥ１２０の第１の送信アンテナに割り振られ、ＳＲＳ送信インスタンス４０５が、ＵＥ１２０の第２の送信アンテナに割り振られる。いくつかの設計では、これらの半静的に割り振られた周期的なリソース４０４、４０５に加えて、ｅＮＢ１１０は、より高いレイヤシグナリングにしたがって半静的に、ＵＥ１２０に対する（グループ４０６として図示されている）直交リソースのセットを取っておいてもよい。いくつかの設計では、より高いレイヤによって構成されている直交ＳＲＳリソースのこの組は、ＵＥ１２０に知られていてもよい。いくつかの設計では、このセットのリソースからのどのＳＲＳリソースがＵＥ１２０に動的に割り振られるかを示すための、メッセージフィールド（例えば、１ビット長または２ビット長）を、ＵＥ１２０に対するダウンリンク許可メッセージ中に含んでいてもよい。いくつかの設計では、ダウンリンクの動的なＳＲＳリソースの割り振りのために使用されるフィールドが、特定のＵＥ１２０に対するリソース許可を示している、（例えば、リリース８において使用されるような）メッセージ中のビットのうちのいくつかに再び目的を持たせてもよい。
【００６０】
ｅＮＢ１１０が、付加的なＳＲＳ送信を必要とすることを（例えば、観測されたデータトラフィック状態に基づいて）決定するとき、ｅＮＢ１１０は、半静的に予約されている直交リソース４０６のうちの１つ以上を使用して、ＤＬ ＳＲＳのメッセージ割り振り４０８でＳＲＳ送信リソースの割り当てを示してもよい。ＳＲＳの割り振り４０８を受け取る際に、ＵＥ１２０の第１および第２の送信アンテナは、（ＵＥ１２０の第１の送信アンテナに対する）送信インスタンス４０８と、（ＵＥ１２０の第２の送信アンテナに対する）送信インスタンス４０９とによってタイムライン４０２に沿って図示されているようにアップリンク方向にＳＲＳを送信してもよい。したがって、ＵＥの視点から、ＳＲＳ送信は、半静的に構成されている周期的なＳＲＳ送信（４０４、４０５）と動的なＳＲＳ送信（４０８、４０９）とを含むと見られることがある。いくつかの設計では、サウンディング基準信号を使用するニーズを満たすために、ｅＮＢ１１０は、半静的でないように構成されている周期的なＳＲＳ送信をスケジューリングしてもよく、動的なＳＲＳの割り振りしか使用しなくてもよい。
【００６１】
したがって、いくつかの設計では、動的なＳＲＳリソースの割り振りのシグナリングは、ＵＥに特有であってもよく、場合によっては、ＵＥ１２０に送られるようにスケジューリングされたメッセージ（例えば、ＤＬ／ＵＬスケジューリング許可メッセージ）中のいくつかのビットを再使用していてもよい。いくつかの設計では、割り振られたリソースは、スケジューリング許可に続く特定のサブフレームに対してのみ有効であってもよい。いくつかの設計では、特定のサブフレームは、スケジューリング許可が送信されるサブフレームから離れた予め定められた時間であってもよい（例えば、サブフレームｔ＋４中で、動的なＳＲＳが送信される。ここで、ｔは、スケジューリング許可送信のサブフレームインデックスである）。
【００６２】
いくつかの設計では、動的なＳＲＳリソースが、ＵＥ１２０のグループに割り振られてもよい。いくつかの設計では、グループの動的なリソースの割り当てを伝えるために、物理ダウンリンク制御チャネル（ＰＤＣＣＨ）を使用してもよい。いくつかの設計では、割り振りのためのメッセージは、Ｒｅｌ−８の、グループの送信電力制御の割り当てにおいて使用されるメッセージに類似していてもよい。いくつかの設計では、グループの動的なＳＲＳリソースの割り振りが送信された後、このグループの動的なＳＲＳリソースの割り振りは、単一のサブフレームに対して有効であってもよい。
【００６３】
いくつかの設計では、ｅＮＢ１１０が、半永続的に、１つ以上のＵＥ１２０への／からのＳＲＳリソースを割り振っても、または、割り振り解除をしてもよい。いったん割り振られると、割り振りは、ｅＮＢ１１０からの後続メッセージによって明示的に割り振り解除されるまで、実質、有効であると考えられ得るという意味では、ＳＲＳリソースは、「半永続的」であるかもしれない。いくつかの設計では、半永続的に割り当てられている動的なリソースのグループを、割り振り／割り振り解除および／または識別することを示すために、１つ以上のビットを使用してもよい。
【００６４】
いくつかの設計では、ＵＥ１２０は、ＳＲＳ送信帯域幅を要求するために、規則的なスケジューリング要求を使用してもよい。いくつかのケースでは、例えば、ＵＥ１２０が、増加するアップリンクデータトラフィックを予期しているときに、ＵＥ１２０は、ＳＲＳ送信を要求するための特定のアップリンクメッセージを使用してもよい。何らかの設計では、ｅＮＢ１１０は、特定のＵＥ１２０に割り振られた送信バッファのバッファがいっぱいであることを監視することによって、ＳＲＳ送信のリソースの割り振りを開始してもよい。いくつかの設計では、ｅＮＢ１１０は、特定のＵＥ１２０への付加的なＳＲＳリソースの割り振りが割り当てられる必要があるか否かを監視するために、エラーレートおよび信号対ノイズ比（ＳＮＲ）のようなチャネル状態を監視してもよい。
【００６５】
図５は、ワイヤレス通信のためのプロセス５００を図示しているフローチャートである。ブロック５０２において、ワイヤレスデバイスが動的なサウンディング基準信号（ＳＲＳ）リソースを望むか否かについて決定を行う。いくつかの設計では、決定を行う動作は、動的なＳＲＳの割り振りに対する要求をＵＥから受け取ることを含む。いくつかの設計では、この決定は、ｅＮＢとＵＥとの間の通信チャネルに対する動作パラメータを推定し、それに対する決定が行われることを含む。先に説明したように、動作パラメータは、通信チャネルに対する、データトラフィックアクティビティとエラーレートとのうちの１つ以上を含んでいてもよい。
【００６６】
いくつかの設計では、ＵＥ１２０が、動的なＳＲＳリソースを必要とするか否かについて決定を行ってもよく、その決定に基づいて、動的なＳＲＳリソースに対する要求をｅＮＢ１１０に送信してもよい。いくつかの設計では、規則的にスケジューリングされた要求送信において要求を送信してもよい。
【００６７】
ブロック５０４において、その決定に基づいて、動的なＳＲＳリソースの割り振りをワイヤレスデバイスに提供する。いくつかの設計では、動作を提供することは、アップリンクまたはダウンリンクスケジューリング許可の一部で、動的なＳＲＳリソースの割り振りをシグナリングすることを含む。いくつかの設計では、動作を提供することは、物理ダウンリンク制御チャネル（ＰＤＣＣＨ）を通して、動的なＳＲＳリソースの割り振りのグループとともに、動的なＳＲＳリソースの割り振りをシグナリングすることを含む。
【００６８】
ある設計では、プロセス５００は、半永続的ＳＲＳリソースをワイヤレスデバイスに割り振ることをさらに含む。ある設計では、プロセス５００は、動的なＳＲＳの割り振りのためにリソースセットを半静的に予約することをさらに含む。動的な割り振りのための、直交ＳＲＳリソースのセットの半静的な予約は、より高いレイヤによって構成されていてもよい。いくつかの設計では、１つのＳＲＳリソースは、リソースに割り当てられた、時間、周波数および／またはコード（例えば、循環シフト）に特徴付けられる。したがって、直交ＳＲＳリソースは、（例えば、異なる循環シフトを持つことによって）、時間、周波数、および／またはコードドメイン中で直交であることもある。
【００６９】
例示にしたがうと、ｅＮＢ１１０は、周期的なＳＲＳを送信するために、半静的に構成されているリソースの最小セットをＵＥに割り振ることができる。この割り振りは、Ｒｅｌ−８／９における割り振りに類似することがある。加えて、しかしながら、（例えば、ＬＴＥ−Ａでは閉ループプリコーディングを、または、ＳＵ−ＭＩＭＯ動作等を促進する他の機能をサポートするために）ワイヤレスデバイスに対して、ＳＲＳリソース決定コンポーネントは、付加的な動的なＳＲＳリソースを必要とするか否かを決めることができる。１つの例では、これは、上述したように発生された付加的なＳＲＳリソースに対する明示的な要求に基づくことができる。
【００７０】
図６は、ワイヤレスデバイスが動的なサウンディング基準信号（ＳＲＳ）リソースを望むか否かを決定するモジュール６０２と、その決定に基づいて、動的なＳＲＳリソースの割り振りをワイヤレスデバイスに提供するモジュール６０４とを具備するワイヤレスデバイス６００の一部のブロック図の表現である。ワイヤレスデバイス６００と、モジュール６０２および６０４は、ここで説明した、動的なリソースの割り振りの他の技術を実現してもよい。
【００７１】
図７は、例えば、ＵＥ１２０において実行される、ワイヤレス通信のプロセス７００のフローチャートを示している。ブロック７０２において、動的なＳＲＳリソースの割り振りを受信する。動的なＳＲＳリソースの割り振りは、例えば、ＵＥ１２０のグループに割り振られた予め定められたリソースプールからのものであってもよい。ブロック７０４において、受信した動的なＳＲＳリソースの割り振りにしたがって、動的なＳＲＳを送信する。
【００７２】
図８は、動的なサウンディング基準信号（ＳＲＳ）リソースの割り振りを受信するモジュール８０２と、受信した動的なＳＲＳリソースの割り振りにしたがって、ＳＲＳを送信するモジュール８０４とを具備するワイヤレス通信装置８００の一部を示している。ワイヤレスデバイス８００と、モジュール８０２および８０４は、ここで説明した、動的なＳＲＳ送信の他の技術を実現してもよい。
【００７３】
いくつかの設計では、協働セル間で、いくつかの共通のＳＲＳサブフレームを構成してもよい。いくつかの設計では、異なるセル中で、ＳＲＳに対して、同じセル特有なサブフレームコンフィギュレーションを使用してもよい。（ＣｏＭＰを使用して）複数のセル中で動作しているＵＥ１２０は、それらのＵＥ１２０に対して得られるＳＲＳの機会のうちの任意の機会においてＳＲＳ信号を送信することができてもよい。しかしながら、ある設計では、協働セルに共通なＳＲＳサブフレーム中でのみＳＲＳを送信するために、調整されるマルチポイント送信（ＣｏＭＰ）ＵＥ１２０を限定してもよい。
【００７４】
協働セルに共通なＳＲＳサブフレームを動作するためにＣｏＭＰ１２０を限定したとき、ＣｏＭＰ ＵＥ１２０が、周波数ドメイン中（すなわち、オーパーラップしていない周波数）で直交して送信するように、異なるＣｏＭＰ ＵＥ１２０に対する異なる周波数コム（ｆｒｅｑｕｅｎｃｙ ｃｏｍｂ）を異なるセルに構成させることによって、ＳＲＳ送信のセル内の直交化を実現することができる。周波数ドメインの直交性を達成するために、複数のｅＮＢ１１０の間で、周波数コム（すなわち、搬送波のセット）の選択を調整してもよい。
【００７５】
いくつかの設計では、協働ＵＥ１２０間でのリソースの割り振りの直交化と組み合わせた、ＣｏＭＰ １２０へのＳＲＳリソースの排他的な割り振りにより、ＳＲＳ送信間での衝突が減少した、セル中のすべてのＵＥ１２０からのＳＲＳ送信が、または、ＳＲＳ送信間での衝突がない、セル中のすべてのＵＥ１２０からのＳＲＳ送信が可能になることを正しく認識することができる。
【００７６】
いくつかの設計では、周波数中で直交している（すなわち、オーバーラップしていない）ＳＲＳをＣｏＭＰ ＵＥ１２０が送信するような方法で、異なるセルは、異なるＣｏＭＰ ＵＥ１２０に対する、異なるＳＲＳの帯域幅（ＢSRS）と異なるＳＲＳリソースの割り振り（ｎSRS）とを構成してもよい。
【００７７】
いくつかの設計では、異なるセルは、異なるＣｏＭＰ ＵＥ１２０に対する異なるＳＲＳコンフィギュレーションインデックス（ＩSRS）を構成してもよい。したがって、異なるＣｏＭＰ ＵＥ１２０からの送信が、時間ドメイン中で直交するように、ＩSRSの選択は、結果的に、ＳＲＳの周期性（ＴSRS）に対する値と、ＳＲＳのサブフレームオフセット（Ｔoffset）に対する値とになる。
【００７８】
いくつかの設計では、ＣｏＭＰ ＵＥ１２０が、コードドメイン中で直交しているＳＲＳを送信するような方法で、異なるセルは、異なるＣｏＭＰ ＵＥ１２０に対する異なる循環シフトを構成してもよい。
【００７９】
協働セルのそれぞれでは、その協働セルによって担当されている残りのＣｏＭＰでないＵＥ１２０に対して、それらのＣｏＭＰ ＵＥ１２０に割り当てられたリソースに直交する残りのリソースを使用してもよい。
【００８０】
図９および図１０を参照して、ＣｏＭＰ ＵＥ１２０に割り当てられるＳＲＳリソースの時間ドメイン直交性の説明のための例を以下で提供する。いくつかの構成では、隣接している周波数における高い電力の搬送波からの干渉は、時間ドメインの直交化によって回避できされるかもしれないので、ＣｏＭＰ ＵＥ１２０が、異なる送信電力レベルで送信するときは、時間ドメインの直交性が、ＳＲＳ直交化に対する周波数コムと比べて好ましいかもしれない。
【００８１】
図９は、マルチセルのワイヤレス通信システム９００を図示している。基地局Ａ ９０２は、第１のセル（図９中では示されていないセルＡ）を担当し、基地局Ｂ ９０８は第２のセル（図９では示されていないセルＢ）を担当している。ＵＥ９０４は、通信チャネル９１２を通して基地局９０２によって担当され、通信チャネル９１６を通して、基地局９０８とも信号を受信／送信することができる。ＵＥ９０６は、基地局９０８（すなわち、通信チャネル９１４）によって担当され、通信チャネル９１０を通して、基地局９０２とも通信することができる。
【００８２】
図１０は、時間を表している水平軸１００１に沿ってプロットされている、図９のセルＡおよびＢを参照した、ＳＲＳ送信リソースの例示的な割り当てを示している。サブフレームアレンジメント１００２は、さまざまなＳＲＳパラメータ：
【数１】
2013513311.tif 000003
【００８３】
に割り当てられている以下の値に基づく、セルＡにおける、サブフレームの割り当てのタイミングシーケンスを表している。
【００８４】
したがって、セルＡでは、２を法として、および、３を法として計算される５個のサブフレームの期間を有する周期的なサブフレームパターンで、ＳＲＳ送信が許容される。式（１）にしたがった、可能性あるＳＲＳ送信を、影が付けられている送信スロット１００３によって示している。
【００８５】
同様に、サブフレームアレンジメント１００４は、セルＢにおける、ＳＲＳの割り当てを表しており、以下の値が、さまざまなパラメータに割り当てられる。
【数２】
2013513311.tif 000004
【００８６】
したがって、セルＢでは、０、１、２、３、４、６、および８を法として計算される、１０個のサブフレームの期間を有する周期的なサブフレームパターンで、ＳＲＳ送信が許容される。式（２）に基づく、セルＢに対する可能性あるＳＲＳ送信時間を、影が付けられている送信スロット１００５によって示している。送信タイムスロット１００６、１００８が、セルＡにおけるリソース１００３とセルＢにおけるリソース１００５との間の時間オーバーラップを表していることが見られる。ＳＲＳ送信上での干渉を回避するために、下記のように調整することによって、共有または共通のＳＲＳ送信タイムスロットを、異なるセルにおけるＵＥ１２０に割り振ってもよい。
【００８７】
図示されている例では、第１のＵＥ９０４は、パラメータＩSRS＝９を有するように構成されている。言い換えると、第１のＵＥ９０４は、期間ＴSRS＝１０とオフセットＴ0ffset＝２とで送信するように構成されている。同様に、ＵＥ９０６は、ＩSRS＝１５を有するように構成されていてもよい。言い換えると、ＵＥ９０６は、期間ＴSRS＝１０とオフセットＴ0ffset＝８とで送信するように構成されている。図１０から見られるように、ＵＥ９０４は、タイムスロット１００６中で送信してもよく、ＵＥ９０６はタイムスロット１００８中で送信してもよい。したがって、上記のスキームに基づいて、送信時間の間にオーバーラップがない（または最小限である）ような態様で、ＳＲＳ送信のために、隣接セルＡと隣接セルＢとの間の共通のタイムスロットを異なるＵＥに割り振ってもよく、これにより、ＣｏＭＰ ＵＥ１２０からのＳＲＳ送信間の干渉を緩和させることを正しく認識するだろう。
【００８８】
図１１は、ワイヤレス通信の例示的なプロセス１１００を示しているフローチャートを図示している。１１０２において、１つ以上の協働セルと共有されている複数の共通のサウンディング基準信号（ＳＲＳ）サブフレームを構成する。例えば、隣接セルのｅＮＢ１１０の間で交換したメッセージによって、共有されている共通のＳＲＳサブフレームを構成してもよい。１１０４において、複数の共通のＳＲＳサブフレームのうちの少なくとも１つを通しての直交ＳＲＳ送信を促進するための、ＳＲＳコンフィギュレーションパラメータをワイヤレスデバイスに提供する。いくつかの設計では、この提供することは、複数の共通のＳＲＳサブフレームを通しての、ワイヤレスデバイスからのＳＲＳ送信と複数の異なるワイレスデバイスからのＳＲＳ送信との間の直交性を促進する周波数コムを、ワイヤレスデバイスに割り振ることを含む。例えば、式（１）および式（２）に関連して記述した技術を使用して、周波数コムの割り当てを実行してもよい。
【００８９】
いくつかの設計では、コンフィギュレーションパラメータを提供することは、複数の共通のＳＲＳサブフレームを通しての、ワイヤレスデバイスからのＳＲＳ送信と複数の異なるワイレスデバイスからのＳＲＳ送信との間の直交性を促進する、複数の共通のＳＲＳサブフレームのうちの少なくとも１つにおける帯域幅の一部を、ワイヤレスデバイスに割り振ることを含む。
【００９０】
いくつかの設計では、コンフィギュレーションパラメータを提供することは、複数の共通のＳＲＳサブフレームを通しての、ワイヤレスデバイスからのＳＲＳ送信と複数の異なるワイレスデバイスからのＳＲＳ送信との間の直交性を促進するコンフィギュレーションインデックスを、ワイヤレスデバイスに提供することによって、ＳＲＳコンフィギュレーションパラメータをワイヤレスデバイスに提供することを含む。
【００９１】
いくつかの設計では、コンフィギュレーションパラメータを提供することは、ＳＲＳコンフィギュレーションパラメータをワイヤレスデバイスに提供することを含み、この提供することは、複数の共通のＳＲＳサブフレームを通しての、ワイヤレスデバイスからのＳＲＳ送信と複数の異なるワイレスデバイスからのＳＲＳ送信との間の直交性を促進する循環シフトを、ＳＲＳを送信するためにワイヤレスデバイスに提供することを含む。いくつかの設計では、循環シフトベースの直交性をコードドメインで中で達成してもよい。
【００９２】
図１２は、１つ以上の協働セルと共有されている複数の共通のサウンディング基準信号（ＳＲＳ）サブフレームを構成するモジュール１２０２と、複数の共通のＳＲＳサブフレームのうちの少なくとも１つを通しての直交ＳＲＳ送信を促進するための、ＳＲＳコンフィギュレーションパラメータをワイヤレスデバイスに提供するモジュール１２０４とを具備するワイヤレス通信装置１２００の一部のブロック図の表現である。
【００９３】
図１３は、ワイヤレス通信の例示的なプロセス１３００のフローチャートの表現を示している。例えば、ＵＥ１２０において、プロセス１３００を実現してもよい。１３０２において、サウンディング基準信号（ＳＲＳ）コンフィギュレーションパラメータを受信する。上述したように、ＳＲＳコンフィギュレーションパラメータは、隣接セル間での直交ＳＲＳ送信を促進することができる。ブロック１３０４において、別のセルと共通なサブフレーム（すなわち、ＳＲＳ送信の機会が、セル間でまったく協働がない他のセルにとっても利用可能であるだろうサブフレーム）中で、受信したＳＲＳコンフィギュレーションパラメータに基づくＳＲＳ送信を実行する。
【００９４】
図１４は、サウンディング基準信号（ＳＲＳ）コンフィギュレーションパラメータを受信するモジュール１４０２と、受信したＳＲＳコンフィギュレーションパラメータに基づいて、別のセルと共通なサブフレーム中でＳＲＳ送信を実行するモジュール１４０４とを具備するワイヤレス通信装置１４００の一部のブロック図の表現である。
【００９５】
ｅＮＢ１１０の異なるクラスを持つ配備を通してシステム性能を改善させるために、ＬＴＥ−Ａではヘテロジニアスネットワーク（ＨｅｔＮｅｔ）を提案している。例えば、担当セルのアーキテクチャ（例えば、マクロ、ミクロ、ピコ、またはフェムト）によっては、ｅＮＢ１１０は、異なる送信電力の限界があることがある。さらには、ｅＮＢ１１０は、被担当セルによってはアクセスを限定してもよい（例えば、開放型アクセス、制限のあるアクセス、またはハイブリッドアクセス）。例として、ＵＥ１２０の特定のセットだけがネットワークにアクセスすることが許可されるように、（時には、ホームｅＮＢと呼ばれる）フェムトｅＮＢが関係を制限してもよい。さらには、異なるｅＮＢ１１０は、異なるバックホールスキーム（例えば、インバンドまたはアウトバンド）を実現してもよい。例として、中継ノードは、インバンドバックホールを用いてもよい。
【００９６】
いくつかのワイヤレスネットワーク配備、例えば、フェムトｅＮＢを持つ閉じられた加入者グループ（ＣＳＧ）では、異なるセルの間でＳＲＳコンフィギュレーションを調整して、担当セルおよび隣接セルの双方においてオーバーラップしていないアップリンクチャネルのＳＲＳ性能を達成するためにバックホール通信に依存することは可能でないかもしれないことを、当業者によって正しく認識されるだろう。
【００９７】
Ｒｅｌ−８では、ＳＲＳの周波数ホッピングがイネーブルにされるときに、同じホッピングパターンを利用する。言い換えると、周波数ホッピングがイネーブルにされるときにでさえ、異なるセルからのＳＲＳ送信は、完全なオーバーラップを有している可能性がある。
【００９８】
いくつかの設計では、異なるセルにおける、ランダム化されたＳＲＳホッピングパターンを実現する。１つの態様では、セル全体にわたるランダム化により、異なるセルからのホッピングされたＳＲＳ送信の衝突を、実質的に、減少させること、または、完全になくすことができる。さらに、セル全体にわたったランダム化のさらなる詳細を以下で記述する。
【００９９】
Ｒｅｌ−８では、以下の式：
【数３】
2013513311.tif 000005
【０１００】
にしたがって、ホッピングを実行する。
【０１０１】
パラメータｋ0が、それぞれのホップにおいて使用されるＳＲＳ帯域幅を決める。式（３）および式（４）では、ここで、ｎSRSは、ＵＥ特有なＳＲＳ送信の数に対するカウンタであり、ｎRRCは、ＳＲＳの周波数ドメイン位置に関連するパラメータであり、Ｆb（ｎSRS）は、以下の特性：
【数４】
2013513311.tif 000006
【０１０２】
を持つ関数である。
【０１０３】
Ｆb+i（ｎSRS）は、区分的に一定であり、それぞれの一定のセグメントは、長さＴbを有する。
【０１０４】
表１は、式（３）および式（４）において使用される、さまざまなパラメータの例示的な割り当てを示している。
【表１】
2013513311.tif 000007
【０１０５】
図１５は、チャート１５００を示しており、ｎSRSを表している水平軸１５０２と、整数値の関数を表している垂直軸１５０４とに沿ってプロットされている、値ｂ＝１（曲線１５０６）、ｂ＝２（曲線１５０８）、およびｂ＝３（曲線１５１０）に対する例示的な関数Ｆb（）を図示している。チャート１５００から見ることができるように、関数Ｆbである。チャート１５００の生成のために、アップリンクＢＷは５０ＲＢであり、ＳＲＳ帯域幅は「コンフィギュレーション１」であるように構成されていると仮定する。この「コンフィギュレーション１」は、４８ＲＢの帯域幅、（ホッピングが実行される総帯域幅を表す）ｂhop＝０と、ＢSRS＝３とを意味している。
【０１０６】
ｎSRSの関数として、Ｆ1がＦ2よりもより速く変わり、Ｆ2がＦ3よりもより速く変わることが、チャート１５００から見ることができる。さらには、Ｆ1が、値０、１、および２を持っている一方で、Ｆ2およびＦ3は、値０および値１に限定される。式（４）から見ることができるように、パラメータｎ1、ｎ2、ｎ3は、それぞれ、Ｆ1、Ｆ2、およびＦ3に依存している。再び図３を参照すると、上記の関数Ｆ1、Ｆ2、およびＦ3の上述した動きによって達成されるホッピングは、異なる周波数におけるそれぞれのレベル（グループ３０２、３０４、３０６）におけるノードを通して横断すると見られるだろう。見ることができるように、チャート１５００中で図示されている関数では、レベル１のグルーピング（列３０２）が、最も速いレートでホッピングされ、この後にレベル２のグルーピング（列３０４）が続き、この後にレベル３のグルーピング（列３０６）とが続く。
【０１０７】
いくつかの設計では、関数Ｆb（）を、別の関数Ｕb（ｎSRS）と置き換えてもよい。したがって、上記の式（４）を下記：
【数５】
2013513311.tif 000008
【０１０８】
のように変更してもよい。
【０１０９】
関数Ｕb（）は、以下の特性：
【数６】
2013513311.tif 000009
【０１１０】
を有していてもよい。
【０１１１】
Ｕb+1（ｎSRS）は、長さＴbのそれぞれの一定のセグメントにより区分的に一定である；および、Ｕb+（ｎSRS）は、１つの期間において、［０，Ｎb-1］のすべての数を経験する。
【０１１２】
いくつかの設計では、関数Ｕb（）は、セル特有な関数として評価され、これにより、結果として、セル特有なホッピングになることができる。いくつかの設計では、ホッピングをさらにランダム化するために、異なるサウンディング期間にわたってセル内の関数Ｕb（）の構成を変えてもよい。関数Ｕb（）のいくつかの特性は、以前に説明した、関数Ｆb（）の特性に類似していることを正しく認識するだろう。
【０１１３】
図１６は、Ｕ1（曲線１６０６）、Ｕ2（曲線１６０８）、およびＵ3（曲線１６１０）を示している、上記で説明したＵb（）の関数の例を図示しているチャート１６００を示しており、このＵ1（曲線１６０６）、Ｕ2（曲線１６０８）、およびＵ3（曲線１６１０）は、ｎSRS（水平軸１６０２）の関数としてプロットされており、整数値（垂直軸１６０４）を有している。図１５のチャートに類似して、チャート１６００では、ＳＲＳに対して、５０ＲＢおよび４８ＲＢの同じ帯域幅を仮定している。このケースでは、Ｎ1＝３、Ｎ2＝２、およびＮ3＝２であり、結果として、Ｔ1＝３、Ｔ2＝６、およびＴ3＝１２となる。
【０１１４】
いくつかの設計では、ランダムにシフトされたバージョンの関数Ｆb（）となるように、関数Ｕb（）を選んでもよい。式（４）を、下記：
【数７】
2013513311.tif 000010
【０１１５】
のように変更してもよい。
【０１１６】
ここで、Δbは、セル特有な循環シフトパラメータであり、このセル特有な循環シフトパラメータは、より高いレイヤによって半静的にシグナリングされてもよい。いくつかの設計では、セル特有な循環シフトパラメータΔbは、物理レイヤセル識別子またはグローバルセル識別識別子ＮIDの、予め定められた標準関数であってもよい。
【０１１７】
図１７は、チャート１７００を示しており、式（７）および式（８）に関して記述したシフト演算を使用して得られる、図１５中で以前に示した関数に基づく、関数Ｕ1（）、Ｕ2（）、およびＵ3（）（それぞれ、曲線１７０６、１７０８、および１７１０）を図示している。チャート１７００では、セル特有なパラメータの以下の値：Δ1＝２、Δ2＝５、およびΔ3＝７を使用する。セル特有なパラメータΔbの異なる値を使用することによって、ＳＲＳに対するランダム化されたＲＢの割り当ても取得できることを正しく認識することができる。いくつかの設計では、さらなるランダム化をホッピングに加えて、特定の値のｂに対して使用されるΔb値も経時的に変えてもよい。例えば、Δbの値を、Ｔミリ秒ごとに変えてもよい。ここで、Ｔ＞ホッピングのために使用されるサウンディング期間である。
【０１１８】
図１８および１９を参照すると、上記で説明した式（７）および式（８）を使用して発生される、２つの異なるセル、セル０およびセル１に対するＳＲＳ開始周波数パターンを、式（７）および式（８）中で規定されているような関数Ｕｂ（）の態様を強調表示して示している。所定の時間において、異なるセルに対する開始ＳＲＳ周波数オフセット位置は異なっており、これにより、異なるセルのＳＲＳ送信の間の衝突を回避することができることを正しく認識することができる。
【０１１９】
図１８は、チャート１８００を図示しており、水平軸１８０２に沿った、セル０に対する（より高いレイヤによって設定される）さまざまな値のｎRRCに対するｎSRSパラメータの関数として、ＳＲＳ周波数開始位置を垂直軸１８０４に沿って示している。特に、曲線１８０６は、開始ＳＲＳ周波数を表し、ｎRRC＝０に対応していてもよい。いくつかの関連パラメータの以下の値：アップリンク帯域幅＝５０ＲＢ、ＳＲＳ帯域幅のコンフィギュレーション＝１（合計ＳＲＳ ＢＷ＝４８）、ｂhop＝０、ｂSRS＝３を仮定する。さらには、セル０に対して、Δ1＝０、Δ2＝０、およびΔ3＝０であると仮定する。
【０１２０】
図１９は、チャート１９００を図示しており、水平軸１９０２に沿った、セル１に対する（より高いレイヤによって設定される）さまざまな値のｎRRCに対するｎSRSパラメータの関数として、ＳＲＳ周波数開始位置を垂直軸１９０４に沿って示している。曲線１９０６は、セル１に対する開始するＳＲＳ周波数オフセットを示しており、セル１に対するｎRRC＝０に対応している。比較を容易にするために、セル０に対するｎRRC＝０に対応している、チャート１８００の曲線１８０６も示している。いくつかの関連パラメータの以下の値：アップリンク帯域幅＝５０ＲＢ、ＳＲＳ帯域幅のコンフィギュレーション＝１（合計ＳＲＳ ＢＷ＝４８）、ｂhop＝０、ｂSRS＝３であると仮定して、セル１に対してΔ1＝２、Δ2＝５、およびΔ3＝７であると仮定する。特に、図１９では、セル０（曲線１８０６）とセル１（曲線１９０６）とに対する開始オフセットを示している。
【０１２１】
セル０およびセルにおける、同じｎRRC値に対する開始オフセットは、異なっていて、完全にオーバーラップしておらず、これにより、２つのセル間のＳＲＳ送信の衝突が最小になることを正しく認識するだろう。さらには、図１９におけるどの関数も、互いに完全なオーバーラップを有していない、または、図１８における曲線によって図示されている対応する関数との完全なオーバーラップを有していない。これにより、異なるセルの、所定のオフセットに対するＳＲＳ送信ホッピングパターン間の全体のオーバーラップが、決して存在しないことが確実になる。先に開示した関数Ｕb（）を解析することによって、関数のオーバーラップしていない動きの同じ数学的性質も当業者によって確認することができる。
【０１２２】
いくつかの設計では、ホッピングシーケンスを以下のように選択することによって、セル特有なＳＲＳ周波数ホッピングを達成することができる。必要とされる帯域幅をサウンドするために、Ｎ個のホップの総数を使用すると仮定する。｛０，１， ・・・， Ｎ−１｝は、それぞれのホップ中の対応するサウンディングＢＷを示すとする。理論上、Ｎ個のホップを通して、必要とされるＢＷをサウンドすることができる、Ｎ！（Ｎ階乗）までの異なるホッピングシーケンスが可能であってもよい。いくつかの設計では、異なるセルにわたってランダム化されたホッピングを達成するために、それぞれのセルは、セルの物理レイヤセルＩＤ（ＰＣＩ）にしたがって１つのホッピングシーケンスを選択してもよい。例えば、いくつかの設計では、ＰＣＩＮIDを持つセルが、Ｎ！の利用可能なホッピングシーケンスから、ホッピングシーケンスをインデックス：ｍｏｄ（ＮID，Ｎ！）で選択してもよい。
【０１２３】
セルがｎRRC＝０に対するホッピングシーケンス｛Ｉ0，Ｉ1， ・・・， ＩN-1｝を選択すると仮定すると、ｎRRCの他の値に対するホッピングシーケンスを下記のように発生させることができる。いくつかの設計では、ホッピングシーケンス｛Ｉ0，Ｉ1，・・・， ＩN-1｝の循環シフトを実行してもよい。いくつかの設計では、ホッピングシーケンス：
【数８】
2013513311.tif 000011
【０１２４】
を使用して、シフトを実行してもよい。
【０１２５】
ここで、Ｎは、シーケンスの長さであり、Ｘは、ｎRRCの関数である。
【０１２６】
説明のための例として、いくつかの設計では、４８ＲＢが、１２個のホップでサウンドされてもよく、４ＲＢが、それぞれのホップ中でサウンドされている。３２ＲＢ内のそれぞれの連続した４ＲＢが、０から１１までインデックスされるとする。例えば、０は、ＲＢ０−３に対応していてもよく、１は、ＲＢ４−７等に対応していている。
【０１２７】
セル０の場合、ｎＲＲＣ＝０に対するホッピングシーケンスは、下記のようなものであってもよい。それぞれのホップにおけるサウンディングＢＷのインデックスは、０、１、２、３、４、５、６、７、８、９、１０、および１１であってもよい。セル１の場合、ｎＲＲＣ＝０に対するホッピングシーケンス、それぞれのホップにおけるサウンディングＢＷのインデックスは、３、１１、４、７、０、５、２、６、１、１０、８、および９であってもよい。（セル０およびセル１に対する）２つのインデックスシーケンスは、互いにオーバーラップを有していないことが見られるかもしれない。
【０１２８】
いくつかの設計では、開始リソースインデックスｎRRCの時間ホッピングを実行してもよい。Ｒｅｌ−８では、開始物理リソースブロック、ｎRRCは、より高いレイヤからシグナリングされ、より高いレイヤによって再構成されるまで同じ値のままである。ＬＴＥ−Ａでは、異なるセルからのカタストロフィック的なＳＲＳの衝突を回避するために、セル特有なパターンにしたがって時間とともにホッピングすることを開始リソースインデックスに許可してもよい。ｎRRCは、例えば、サウンディング期間ごとにホッピングしてもよい。いくつかの設計では、たとえ、異なるセルからのＳＲＳ送信が時たま衝突したとしても、このような衝突が、確実にカタストロフィックでないよう（例えば、１または１０または２０パーセントよりも低い衝突）にするために、擬似ランダムタイミングホッピングを使用してもよい。
【０１２９】
例えば、１つの設計では、ＵＥ０がセル０によって担当され、ＵＥ１はセル１によって担当されていると仮定すると、それぞれのサウンディング期間における、ｎRRCに対するＵＥ０の時間ホッピングシーケンスは、０、１、２、３、４、５、６、７、８、９、１０、および１１であってもよい。同様に、それぞれのサウンディング期間における、ｎRRCに対するＵＥ１の時間ホッピングシーケンスは、３、１１、４、７、０、５、２、６、１、１０、８、および９であってもよい。ＵＥ０およびＵＥ１からのＳＲＳは、６番目のサウンディング期間（値「５」）においてしか衝突しないであろうことを正しく認識するであろう。したがって、このような衝突にもかかわらず、依然として、衝突していないＳＲＳ送信に基づいて、満たしているチャネルサウンディング性能を達成することができる。
【０１３０】
図２０は、ワイヤレス通信のプロセス２０００のフローチャートの表現を示している。ブロック２００２において、ワイヤレスデバイスに対するＳＲＳリソースを通して、セル特有なＳＲＳ周波数ホッピングパターンを決定する。ＳＲＳ周波数ホッピングパターンは、例えば、式（９）に関連して記述した技術を含む、上記で説明した技術のうちの１つに基づいていてもよい。ブロック２００４において、セル特有なＳＲＳ周波数ホッピングパターンをワイヤレスデバイスに割り当てて、他のワイヤレスデバイスからのＳＲＳ送信との衝突を緩和させる。プロセス２０００において、ここで記述した、付加的なＳＲＳ向上の動作も実行してもよい。
【０１３１】
図２１は、ワイヤレスデバイスに対するＳＲＳリソースを通して、セル特有なサウンディング基準信号（ＳＲＳ）周波数ホッピングパターンを決定するモジュール２１００と、セル特有なＳＲＳ周波数ホッピングパターンをワイヤレスデバイスに割り当てて、異なるワイヤレスデバイスとのＳＲＳの衝突を緩和させるモジュール２１０４とを具備する、ワイヤレス通信装置２１００の一部のブロック図の表現を示している。通信装置２１００は、ここで説明した、１つ以上のＳＲＳ向上を実行するためのモジュールをさらに備えていてもよい。
【０１３２】
図２２は、ワイヤレス通信のプロセス２２００のフローチャートの表現を示している。ブロック２２０２において、ワイヤレスデバイスにおいて、セル特有なサウンディング基準信号（ＳＲＳ）周波数ホッピングパターンを受信する。ブロック２２０４において、受信したホッピングパターンに基づいて、ＳＲＳ送信リソースを決定する。ブロック２２０６において、その決定したＳＲＳ送信リソースにしたがって、ＳＲＳ送信を実行する。プロセス２２００において、ここで記述した、付加的なＳＲＳ向上の動作も実行してもよい。
【０１３３】
図２３は、ワイヤレスデバイスにおいて、セル特有なサウンディング基準信号（ＳＲＳ）周波数ホッピングパターンを受信するモジュール２３０２と、受信したホッピングパターンに基づいて、ＳＲＳ送信リソースを決定するモジュール２３０４と、決定したＳＲＳ送信リソースにしたがって、ＳＲＳ送信を実行するモジュール２３０６とを具備するワイヤレス通信装置２３００の一部のブロック図の表現を示している。ワイヤレス通信装置２３００は、ここで説明した、１つ以上のＳＲＳ向上を実行するためのモジュールをさらに備えていてもよい。
【０１３４】
サウンディング基準信号の送信に対するいくつかの向上をここで記述することを正しく認識するだろう。いくつかの設計では、ワイヤレスデバイスがＳＲＳリソースを望むか否かの決定に基づいて、動的なＳＲＳリソースが、ワイヤレスデバイスに対して利用可能になるだろう。その決定は、ワイヤレスデバイスから受信した要求に基づいて、または、エラーレートまたはチャネル品質のような動作基準に基づいて行ってもよい。
【０１３５】
複数の共通のＳＲＳサブフレームが、協働セルによって共有され、ユーザ機器に提供されるＳＲＳコンフィギュレーションパラメータが、共有サブフレーム内での、ＳＲＳの直交送信を促進するように、この開示した向上は、セル間の協働を含んでいてもよいことを正しく認識するだろう。
【０１３６】
この開示したＳＲＳの向上は、別のセル中の他のワイヤレスデバイスからのＳＲＳ送信とのＳＲＳ送信を緩和させるために、セル特有なＳＲＳ周波数ホッピングパターンを決定するための関数に基づいて、ＳＲＳ送信に対する初期の周波数オフセットをホッピングすることを含むことを正しく認識するだろう。
【０１３７】
開示したプロセスにおける、ステップの特定の順序または階層は、例示的なアプローチの例であることが理解される。設計選択に基づいて、本開示の範囲内のままで、プロセスにおけるステップの特定の順序または階層を再構成してもよいことが理解される。付随する方法の請求項は、さまざまなステップのエレメントをサンプルの順序で示しており、示した特定の順序または階層に限定することを意味しているわけではない。
【０１３８】
さまざまな異なるテクノロジーおよび技術のうちの任意のものを使用して、情報および信号を表してもよいことを、当業者は理解するだろう。上記の記述全体を通して参照され得る、例えば、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表してもよい。
【０１３９】
例として、事例として、あるいは実例として機能することを意味するために、「例示的な」という言葉をここで使用する。「例示的な」ものとして、ここで記述するいずれの態様または設計も、他の態様または設計と比較して、必ずしも、好ましいものとして、または、効果的なものとして解釈されるものではない。
【０１４０】
ここで開示した実施形態に関連して記述した、さまざまな例示的な論理ブロック、モジュール、回路、およびアルゴリズムステップは、電子ハードウェア、コンピュータソフトウェア、あるいは双方を組み合わせたものとして実現してもよいことを、当業者はさらに正しく認識するだろう。ハードウェアおよびソフトウェアのこの互換性を明確に図示するために、さまざまな例示的なコンポーネント、ブロック、モジュール、回路、およびステップを、これらの機能性の観点で上記で概して記述している。このような機能性が、ハードウェアまたはソフトウェアとして実現するか否かは、システム全体に課せられている、特定のアプリケーションおよび設計制約に依存する。熟練者が、それぞれの特定のアプリケーションのための方法を変えて、記述した機能性を実現するかもしれないが、このようなインプリメンテーションの決定は、本開示の範囲から逸脱が生じるとして解釈されるべきでない。
【０１４１】
ここで開示した実施形態に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。
【０１４２】
１つ以上の例示的な実施形態では、記述した機能は、ハードウェア、ソフトウェア、ファームウェア、またはこれらの任意の組み合わせで実現してもよい。ソフトウェア中で実現した場合、機能は、１つ以上の命令またはコードとしてコンピュータ読み取り可能な媒体上に記憶されてもよく、あるいは、１つ以上の命令またはコードとしてコンピュータ読み取り可能な媒体上にエンコードされてもよい。コンピュータ読み取り可能な媒体は、コンピュータ記憶媒体を含む。記憶媒体は、コンピュータによってアクセスできる何らかの利用可能な媒体であってもよい。例示によると、このようなコンピュータ読み取り可能な媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、あるいは命令またはデータ構成の形態で所望のプログラムコードを伝送または記憶するために使用でき、コンピュータによってアクセスできる他の何らかの媒体を含むことができるが、これらに限定されない。また、ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、ディスク（ｄｉｓｋ）は、通常、データを磁気的に再生する一方で、ディスク（ｄｉｓｃ）は、データをレーザによって光学的に再生する。先のものを組み合わせたものもまた、コンピュータ読み取り可能な媒体の範囲内に含められるべきである。
【０１４３】
この開示した実施形態の前の説明は、当業者が、本開示を、作ることができるように、または、使用できるように提供されている。これらの実施形態に対するさまざまな修正は、当業者に容易に明らかになるであろう。また、ここで規定されている一般的な原理は、この開示の範囲の精神または範囲から逸脱することなく、他の実施形態に適用されてもよい。したがって、本開示は、ここに示した、実施形態に限定されることを意図しているものではないが、ここで開示した、原理および新規な特徴と矛盾しない最も広範囲に一致させるべきである。
【０１４４】
上記で記述した例示的なシステムの観点から、この開示した主題事項にしたがって実現され得る方法論をいくつかのフロー図を参照して記述してきた。説明の簡潔さの目的のために、方法論を一連のブロックとして示したり記述したりしたが、いくつかのブロックは、ここで図示したり記述したりしたものとは異なる順序で、および／または、他のブロックと同時に行われることがあるので、主張する主題事項は、ブロックの順序によって限定されないことを理解および正しく認識すべきである。さらには、ここで記述した方法論を実現するために、すべての図示したブロックを必要とするわけではない。加えて、ここで開示した方法論は、このような方法論をコンピュータに移送および転送することを促進するための製造物上に記憶することができることをさらに正しく認識すべきである。ここで用いる「製造物」という用語は、何らかのコンピュータ読み取り可能デバイス、キャリア、または媒体からアクセス可能なコンピュータプログラムを含むことを意図している。
【０１４５】
ここで参照によって組み込まれていると言われている、あらゆる特許、公開、または他の開示の素材は、組み込まれている素材が、本開示で述べた、既存の定義、主張、または他の開示の素材と矛盾しない範囲内でのみ、全体的に、または、部分的に、ここで組み込まれていることを正しく認識すべきである。そのようなものとして、そして必要な範囲で、ここで明示的に述べたような開示は、参照によりここで組み込まれているあらゆる矛盾する素材に取って代わる。ここで参照により組み込まれていると言われているものの、ここで述べた既存の定義、主張、または他の開示の素材と矛盾する、あらゆる素材、または、これらの一部は、組み込まれている素材と既存の開示の素材との間で生じる矛盾がない範囲でのみ組み込まれるだろう。
【図１】
2013513311.tif 000012
【図２】
2013513311.tif 000013
【図３】
2013513311.tif 000014
【図４】
2013513311.tif 000015
【図５】
2013513311.tif 000016
【図６】
2013513311.tif 000017
【図７】
2013513311.tif 000018
【図８】
2013513311.tif 000019
【図９】
2013513311.tif 000020
【図１０】
2013513311.tif 000021
【図１１】
2013513311.tif 000022
【図１２】
2013513311.tif 000023
【図１３】
2013513311.tif 000024
【図１４】
2013513311.tif 000025
【図１５】
2013513311.tif 000026
【図１６】
2013513311.tif 000027
【図１７】
2013513311.tif 000028
【図１８】
2013513311.tif 000029
【図１９】
2013513311.tif 000030
【図２０】
2013513311.tif 000031
【図２１】
2013513311.tif 000032
【図２２】
2013513311.tif 000033
【図２３】
2013513311.tif 000034
【国際調査報告】
2013513311.tif 000035
2013513311.tif 000036
2013513311.tif 000037
2013513311.tif 000038
2013513311.tif 000039
2013513311.tif 000040
2013513311.tif 000041